(57)【要約】  送信パラメータの異なる複数の通信方式による通信が同一周波数（少なくとも一部において互いに重なり合う周波数帯）で行われる通信システムおける送信方法であって、第１の通信方式による通信が行われることを通信相手装置に認識させるための制御シンボルを含む第１のシンボル群、及び、第１の通信方式用のデータシンボルを含む第２のシンボル群を生成し、第１の送信電力で第１のシンボル群を送信し、第１の送信電力よりも小さい第２の送信電力で第２のシンボル群を送信する。
2016174848.tif 000002
【特許請求の範囲】
【請求項１】
送信パラメータの異なる複数の通信方式による通信が、少なくとも一部において互いに重なり合う周波数帯で行われる通信システムにおける送信方法であって、第１の通信方式による通信が行われることを通信相手装置に認識させるための制御シンボルを含む第１のシンボル群、及び、前記第１の通信方式用のデータシンボルを含む第２のシンボル群を生成し、
第１の送信電力で前記第１のシンボル群を送信し、
前記第１の送信電力よりも小さい第２の送信電力で前記第２のシンボル群を送信する、
送信方法。
【請求項２】
前記第１のシンボル群には、受信装置において、前記第１の送信電力に応じて受信信号レベルを調整するための第１のゲイン制御（ＡＧＣ）用シンボルが含まれ、
前記第２のシンボル群には、受信装置において、前記第２の送信電力に応じて受信信号レベルを調整するための第２のＡＧＣ用シンボルが含まれる、
請求項１に記載の送信方法。
【請求項３】
前記第１のシンボル群には、前記第１の通信方式、又は、前記第１の通信方式よりも長距離の通信が可能な第２の通信方式の何れを行うかを示す制御シンボルが含まれる、
請求項１に記載の送信方法。
【請求項４】
前記第１のシンボル群の各シンボルの同相−直交平面における信号点の平均電力と、前記第２のシンボル群の各シンボルの同相−直交平面における信号点の平均電力との間には式（１）の関係が成立する、
請求項１に記載の送信方法。
【数７】
2016174848.tif 000009
ここで、Ｍは前記第１のシンボル群の同相−直交平面における信号点の数を表し、Ｎは前記第２のシンボル群の同相−直交平面における信号点の数を表し、Ｉａ，ｊは前記第１のシンボル群の各信号点の同相成分を表し、Ｑａ，ｊは前記第１のシンボル群の各信号点の直交成分を表し、Ｉｂ，ｊは前記第２のシンボル群の各信号点の同相成分を表し、Ｑｂ，ｊは前記第２のシンボル群の各信号点の直交成分を表す。
【請求項５】
前記第２のシンボル群が送信される隣接する時間区間の間に、所定数の前記第１のシンボル群を送信可能な複数の時間区間が設けられ、
前記第１の通信方式に対応する複数の通信装置からそれぞれ送信される複数の前記第１のシンボル群は、前記複数の時間区間において互いに異なる時間区間で送信される、
請求項１に記載の送信方法。
【請求項６】
前記第２のシンボル群が送信される隣接する時間区間の間に、１つの前記第１のシンボル群を送信可能な１つの時間区間が設けられ、
前記１つの時間区間において、前記第１のシンボル群は、前記第１の通信方式に対応する複数の通信装置のうち何れか１つのから送信される、
請求項１に記載の送信方法。
【請求項７】
前記第１のシンボル群は、前記第２のシンボル群を送信する前記第１の通信方式に対応する通信装置から送信される、
請求項１に記載の送信方法。
【請求項８】
前記第１の通信方式による通信は端末及び基地局により行われ、
前記端末が前記第２のシンボル群を送信する場合、前記第１のシンボル群は、当該端末の通信相手である前記基地局から送信される、
請求項１に記載の送信方法。
【請求項９】
送信パラメータの異なる複数の通信方式による通信が、少なくとも一部において互いに重なり合う周波数帯で行われる通信システムにおける送信制御方法であって、
通信相手装置から送信された変調信号を受信し、前記変調信号には、第１の通信方式による通信が行われることを認識させるための制御シンボルを含む第１のシンボル群、又は、前記第１の通信方式用のデータシンボルを含む第２のシンボル群が含まれ、前記第１のシンボル群は第１の送信電力で送信され、前記第２のシンボル群は前記第１の送信電力よりも小さい第２の送信電力で送信されており、
前記第１のシンボル群を受信した場合には前記第１の送信電力をデータ送信に用いる第２の通信方式による通信を停止し、前記第１のシンボル群を受信していない場合には、前記第２の通信方式による通信を実行する、
送信制御方法。
【請求項１０】
送信パラメータの異なる複数の通信方式による通信が、少なくとも一部において互いに重なり合う周波数帯で行われる通信システムにおける通信装置であって、
第１の通信方式による通信が行われることを通信相手装置に認識させるための制御シンボルを含む第１のシンボル群、及び、前記第１の通信方式用のデータシンボルを含む第２のシンボル群を生成する生成部と、
第１の送信電力で前記第１のシンボル群を送信し、前記第１の送信電力よりも小さい第２の送信電力で前記第２のシンボル群を送信する送信部と、
を具備する通信装置。
【請求項１１】
送信パラメータの異なる複数の通信方式による通信が、少なくとも一部において互いに重なり合う周波数帯で行われる通信システムにおける通信装置であって、
通信相手装置から送信された変調信号を受信し、前記変調信号には、第１の通信方式による通信が行われることを通信相手装置に認識させるための制御シンボルを含む第１のシンボル群、又は、前記第１の通信方式用のデータシンボルを含む第２のシンボル群が含まれ、前記第１のシンボル群は第１の送信電力で送信され、前記第２のシンボル群は前記第１の送信電力よりも小さい第２の送信電力で送信されている、受信部と、
前記受信された変調信号に前記第１のシンボル群が含まれる場合には、前記第１の送信電力をデータ送信に用いる第２の通信方式による通信を停止し、前記受信された変調信号に前記第１のシンボル群が含まれない場合には、前記第２の通信方式による通信を実行する制御部と、
を具備する通信装置。
【発明の詳細な説明】
【技術分野】
【０００１】
本開示は、送信方法、送信制御方法、及び、通信装置に関する。
【背景技術】
【０００２】
近年、様々な無線通信方式を用いた機器が同一周波数帯を使用し、同一エリア内に混在する環境が想定されている。このような様々な無線通信方式を用いた機器同士が互いに干渉を受けることを回避するための技術が提案されている。特許文献１には、ＷｉＭＡＸ（登録商標）及びＢｌｕｅｔｏｏｔｈ（登録商標）の共存のために、無線フレームに関連する時間基準を合わせ、一方の無線フレームでの送受信と、他方の無線フレームでの送受信とが時間的に重なり合わないように配置することが開示されている。
【先行技術文献】
【特許文献】
【０００３】
【特許文献１】特表２０１０−５２４３４６号公報
【発明の概要】
【０００４】
しかしながら、特許文献１では、例えば、ＮＦＣ（Near Field Communication）又はＰＡＮ（Personal Area Network）等の送信電力が比較的低い近距離通信と、無線ＬＡＮ（Local Area Network）又はセルラ通信等の送信電力が比較的高い長距離通信とを同一周波数（少なくとも一部において重なり合う周波数帯）で実現するための共存方式について何ら検討されていない。
【０００５】
近距離通信に設定される送信電力は、長距離通信に設定される送信電力と比較して低くなるので、同一周波数において、近距離通信を行う機器は、長距離通信を行う機器からの信号によって一方的に干渉を受ける可能性が高い。よって、長距離通信が行われている場合には、近距離通信を行うことができず、通信システム全体として、データ伝送容量が低減してしまう。
【０００６】
本開示の一態様は、近距離通信と長距離通信とを同一周波数（少なくとも一部において互いに重なり合う周波数帯）で共存させる場合でも、データ伝送容量の低下を抑えることができる送信方法、送信制御方法、及び、通信装置を提供する。
【０００７】
本開示の一態様に係る送信方法は、送信パラメータの異なる複数の通信方式による通信が、少なくとも一部において互いに重なり合う周波数帯で行われる通信システムにおける送信方法であって、第１の通信方式による通信が行われることを通信相手装置に認識させるための制御シンボルを含む第１のシンボル群、及び、第１の通信方式用のデータシンボルを含む第２のシンボル群を生成し、第１の送信電力で前記第１のシンボル群を送信し、第１の送信電力よりも小さい第２の送信電力で第２のシンボル群を送信する。
【０００８】
本開示の一態様に係る送信制御方法は、送信パラメータの異なる複数の通信方式による通信が、少なくとも一部において互いに重なり合う周波数帯で行われる通信システムにおける送信制御方法であって、通信相手装置から送信された変調信号を受信し、上記変調信号には、第１の通信方式による通信が行われることを通信相手装置に認識させるための制御シンボルを含む第１のシンボル群、又は、第１の通信方式用のデータシンボルを含む第２のシンボル群が含まれ、第１のシンボル群は第１の送信電力で送信され、第２のシンボル群は第１の送信電力よりも小さい第２の送信電力で送信されており、第１のシンボル群を受信した場合には第１の送信電力をデータ送信に用いる第２の通信方式による通信を停止し、第１のシンボル群を受信していない場合、第２の通信方式による通信を実行する。
【０００９】
本開示の一態様に係る通信装置は、送信パラメータの異なる複数の通信方式による通信が、少なくとも一部において互いに重なり合う周波数帯で行われる通信システムにおける通信装置であって、第１の通信方式による通信が行われることを通信相手装置に認識させるための制御シンボルを含む第１のシンボル群、及び、第１の通信方式用のデータシンボルを含む第２のシンボル群を生成する生成部と、第１の送信電力で第１のシンボル群を送信し、第１の送信電力よりも小さい第２の送信電力で第２のシンボル群を送信する送信部と、を具備する。
【００１０】
本開示の一態様に係る通信装置は、送信パラメータの異なる複数の通信方式による通信が、少なくとも一部において互いに重なり合う周波数帯で行われる通信システムにおける通信装置であって、通信相手装置から送信された変調信号を受信し、変調信号には、第１の通信方式による通信が行われることを通信相手装置に認識させるための制御シンボルを含む第１のシンボル群、又は、第１の通信方式用のデータシンボルを含む第２のシンボル群が含まれ、第１のシンボル群は第１の送信電力で送信され、第２のシンボル群は第１の送信電力よりも小さい第２の送信電力で送信されている、受信部と、受信された変調信号に第１のシンボル群が含まれる場合には、第１の送信電力をデータ送信に用いる第２の通信方式による通信を停止し、受信された変調信号に第１のシンボル群が含まれない場合には、第２の通信方式による通信を実行する制御部と、を具備する。
【００１１】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１２】
本開示の一態様によれば、近距離通信と長距離通信とを同一周波数（少なくとも一部において互いに重なり合う周波数帯）で共存させる場合でも、データ伝送容量の低下を抑えることができる。
【００１３】
本開示の一態様における更なる利点および効果は、明細書および図面から明らかにされる。かかる利点および／または効果は、いくつかの実施の形態並びに明細書および図面に記載された特徴によってそれぞれ提供されるが、１つまたはそれ以上の同一の特徴を得るために必ずしも全てが提供される必要はない。
【図面の簡単な説明】
【００１４】
【図１】実施の形態１に係る近距離通信を行う機器及び長距離通信を行う機器を含む通信システムの構成例を示す図
【図２】実施の形態１に係る端末の構成を示すブロック図
【図３】実施の形態１に係る近距離通信及び長距離通信の両方に対応する端末が変調信号を送信する際のフレーム構成例を示す図
【図４】実施の形態１に係る近距離通信に対応する端末が変調信号を送信する際のフレーム構成例を示す図
【図５】実施の形態１に係る長距離通信の両方に対応する端末が変調信号を送信する際のフレーム構成例を示す図
【図６】実施の形態１に係る「送信電力の大きなシンボル」のＩ−Ｑ平面におけるＢＰＳＫの信号点配置の一例を示す図
【図７】実施の形態１に係る「送信電力の小さなシンボル」のＩ−Ｑ平面におけるＢＰＳＫの信号点配置の一例を示す図
【図８】実施の形態１に係る「送信電力の小さなシンボル」のＩ−Ｑ平面におけるＱＰＳＫの信号点配置の一例を示す図
【図９】実施の形態１に係る「送信電力の大きなシンボル」の周波数−時間軸におけるシンボル配置の一例を示す図
【図１０】実施の形態１に係る「送信電力の大きなシンボル」の周波数−時間軸におけるシンボル配置の一例を示す図
【図１１】実施の形態１に係る「送信電力の大きなシンボル」のＩ−Ｑ平面におけるＢＰＳＫの信号点配置の一例を示す図
【図１２】実施の形態１に係る近距離通信ＡＰの構成を示すブロック図
【図１３】実施の形態１に係る近距離通信ＡＰが変調信号を送信する際のフレーム構成例を示す図
【図１４】実施の形態１に係る長距離通信ＡＰの構成を示すブロック図
【図１５】実施の形態１に係る長距離通信ＡＰが変調信号を送信する際のフレーム構成例を示す図
【図１６】実施の形態１に係る近距離通信を行う機器及び長距離通信を行う機器を含む通信システムの構成例を示す図
【図１７】実施の形態１に係る近距離通信を行う機器が送信する変調信号のフレーム構成例を示す図（端末＃Ｂが送信電力の大きなシンボルを送信する場合）
【図１８】実施の形態１に係る近距離通信を行う機器が送信する変調信号のフレーム構成例を示す図（端末＃Ｂが送信電力の大きなシンボルを送信しない場合）
【図１９】実施の形態２に係る近距離通信を行う機器が送信する変調信号のフレーム構成例を示す図（端末＃Ｂが送信電力の大きなシンボルを送信する場合）
【図２０】実施の形態２に係る近距離通信を行う機器が送信する変調信号のフレーム構成例を示す図（端末＃Ｂが送信電力の大きなシンボルを送信する場合）
【図２１】実施の形態２に係る近距離通信を行う機器が送信する変調信号のフレーム構成例を示す図（端末＃Ｂが送信電力の大きなシンボルを送信しない場合）
【図２２】実施の形態２に係る近距離通信を行う機器が送信する変調信号のフレーム構成例を示す図（端末＃Ｂが送信電力の大きなシンボルを送信しない場合）
【図２３】実施の形態３に係る近距離通信用のシンボルが長時間送信される場合のフレーム構成例を示す図
【図２４】実施の形態３に係る端末及び近距離用ＡＰが送信する変調信号のフレーム構成例を示す図
【図２５】実施の形態３に係る端末が送信する変調信号のフレーム構成例を示す図
【図２６】実施の形態３に係る近距離通信を行う機器が送信する変調信号のフレーム構成例を示す図（ガード区間が確保され、端末が送信電力の大きなシンボルを送信しない場合）
【図２７】実施の形態３に係る近距離通信を行う機器が送信する変調信号のフレーム構成例を示す図（ガード区間が確保されず、端末が送信電力の大きなシンボルを送信しない場合）
【発明を実施するための形態】
【００１５】
以下、本開示の実施の形態について図面を参照して詳細に説明する。
【００１６】
（実施の形態１）
［通信システムの概要］
図１は、本実施の形態に係る通信システムの構成例を示す。図１に示す通信システムでは、近距離通信と長距離通信とが同一周波数（周波数帯）を用いて行われる。ここで、同一周波数（周波数帯）を用いるとは、近距離通信で用いる周波数帯と、長距離通信で用いる周波数帯とが、少なくとも一部において互いに重なり合うことをいう。
【００１７】
具体的には、図１では、アクセスポイント（Access Point）１０１と端末＃Ａ（１０２）とが長距離通信を行い、近距離用ＡＰ＃１（１０３）と端末＃Ｂ（１０４）とが近距離通信を行っている。
【００１８】
上述したように、「近距離通信」はＮＦＣ又はＰＡＮ等の送信電力が比較的低い通信であり、「長距離通信」は無線ＬＡＮ又はセルラ通信等の送信電力が比較的高い通信である。なお、近距離通信の送信電力と長距離通信の送信電力との相対関係の詳細については後述する。
【００１９】
また、図１では、近距離通信と長距離通信とが同一周波数（少なくとも一部において互いに重なり合う周波数帯）を使用して行われる。近距離通信と長距離通信とでは、異なる通信パラメータが用いられる。
【００２０】
なお、ＡＰは、基地局又は送信局等の他の呼称で表されることもあり、端末は、受信局、ＵＥ（User Equipment）等の他の呼称で表されることもある。
【００２１】
［端末の構成］
図２は、本実施の形態に係る通信システムにおいて動作する端末の構成を示すブロック図である。
【００２２】
図２に示す端末２０は、例えば、図１に示す端末＃Ａ（１０２）又は端末＃Ｂ（１０４）として動作する。
【００２３】
図２に示す端末２０は、受信アンテナ２０１と、受信部２０３と、制御部２０６と、送信部２０９と、送信アンテナ２１１と、を含む構成を採る。
【００２４】
端末２０において、受信部２０３は、通信相手から送信された変調信号が存在しているとき、動作する。受信部２０３は、アンテナ２０１で受信した受信信号２０２を入力とする。受信部２０３は、受信信号２０２に対して、周波数変換、周波数・時間同期、復調、誤り訂正復号等の受信処理を施し、受信データ２０４、及び／又は、制御情報２０５を出力する。制御情報２０５には、例えば、通信方法（近距離通信又は長距離通信）に関する情報、又は、通信開始を示す情報が含まれる。
【００２５】
制御部２０６は、通信開始を示す情報を含む指示信号２００を受けて、通信開始に関連する制御信号２０７を生成し、送信部２０９へ出力する。制御信号２０７には、例えば、通信方法（近距離通信又は長距離通信）に関する情報、変調方式に関する情報、誤り訂正方式に関する情報等が含まれる。
【００２６】
なお、制御部２０６は、制御情報２０５を入力の一つとしており、制御情報２０５に基づいて通信方法を切り替えてもよい。また、制御部２０６は、制御情報２０５に含まれる通信開始を示す情報に基づいて、通信開始に関連する制御信号２０７を送信部２０９に出力してもよい。
【００２７】
送信部２０９は、データ２０８及び制御信号２０７を入力とする。送信部２０９は、データ２０８及び制御信号２０７に対して、誤り訂正符号化、変調（マッピング）等の処理を施しデータシンボルを生成する。また、送信部２０９は、時間領域又は周波数領域での同期用のシンボル、受信装置において信号検出するためのシンボル、伝搬路を推定するためのパイロットシンボル（リファレンスシンボル）、ＡＧＣ（Automatic Gain Control）用シンボル（受信装置において信号のレベルを調整するためのシンボル）、制御シンボルなどを生成し、これらのシンボルに相当する変調信号２１０を出力する。
【００２８】
変調信号２１０は、アンテナ２１１から電波として出力される。このときの通信方式としては、ＯＦＤＭ（Orthogonal Frequency Division Multiplexing）方式でもよく、シングルキャリア伝送方式でもよく、スペクトル拡散通信方式でもよい。
【００２９】
また、制御部２０６は、端末２０が実施可能な通信方法（近距離通信、長距離通信）に基づいて、データシンボル及び制御シンボルの送信電力を設定する。例えば、「近距離通信」用の変調信号の平均送信電力をＰａとし、「長距離通信」用の変調信号の平均送信電力をＰｂとする。この場合、Ｐａ＜Ｐｂ（ＰｂはＰａより大きい）が成立することになる。
【００３０】
［端末２０の送信フレーム構成］
端末２０が採りうる通信形態としては、（１）近距離通信及び長距離通信の両方を行うことができる端末、（２）近距離通信のみを行うことができる端末、又は、（３）長距離通信のみを行うことができる端末が挙げられる。
【００３１】
そこで、以下では、上述した各通信形態における端末２０が送信する送信フレーム構成の一例について説明する。
【００３２】
（１）近距離通信及び長距離通信の両方を行うことができる端末２０が送信するフレーム構成
図３は、近距離通信用の変調信号及び長距離通信用の変調信号の両方を送信できる端末２０が、近距離用データを伝送する際の変調信号のフレーム構成の一例を示す。
【００３３】
すなわち、図３は、図１に示す端末＃Ｂ（１０４）が近距離用ＡＰ＃１（１０３）に対して近距離用データを送信する際のフレーム構成例を示す。
【００３４】
図３において、横軸は時間を示し、縦軸は送信電力を示す。
【００３５】
端末２０は、まず、「送信電力の大きなシンボル」３０１を送信する。
【００３６】
図３に示すシンボル３０１は、「送信電力の大きなシンボル」の構成例を示す。シンボル３０１は、例えば、同期シンボル（受信装置において周波数同期及び／又は時間同期をとるためのシンボル）、ＡＧＣ用シンボル（受信装置において信号のレベルを調整するためのシンボル）、制御シンボル等を含むシンボル群である。また、シンボル３０１には、更に、信号検出用のシンボルが含まれていてもよい。
【００３７】
シンボル３０２、３０３、３０４、３０５は、「近距離通信用シンボル」である。シンボル３０２は、近距離通信の同期用シンボル（受信装置において周波数同期及び／又は時間同期をとるためのシンボル）である。端末２０が図３に示す変調信号を送信した場合、受信装置である近距離用ＡＰは、同期用シンボル３０２を用いて、周波数同期及び／又は時間同期をとる。なお、近距離用ＡＰは、同期用シンボル３０２を検出することで、信号検出を行ってもよい。また、別の方法として、近距離用ＡＰにおいて信号を検出するためのシンボル（図示せず）が、同期用シンボル３０２の前に存在していてもよい。
【００３８】
シンボル３０３は、近距離通信用のＡＧＣ用シンボルである。端末２０が図３に示す変調信号を送信した場合、受信装置である近距離用ＡＰは、ＡＧＣ用シンボル３０３を用いて、受信信号の信号レベルを調整する。
【００３９】
シンボル３０４は、近距離通信用の制御シンボルである。制御シンボル３０４は、例えば、近距離通信用のデータシンボル３０５を生成するために使用する誤り訂正符号の方法（例えば、誤り訂正符号の符号化率、誤り訂正符号の符号長（ブロック長）等）、変調方式等の情報を通信相手に通知するためのシンボルである。
【００４０】
シンボル３０５は、近距離通信用データシンボルであり、通信相手である受信装置にデータを伝送するためのシンボルである。
【００４１】
図３において、「送信電力の大きなシンボル」３０１は、図１に示すＡＰ（１０１）及び端末＃Ａ（１０２）においても受信できるレベルの送信電力で端末＃Ｂから送信される。つまり、図２の端末２０が近距離通信及び長距離通信の両方に対応している場合、図２の送信部２０９は、長距離通信に設定された送信電力で「送信電力の大きなシンボル」３０１を送信し、近距離通信に設定された送信電力で「近距離通信用シンボル」３０２〜３０５を送信する。
【００４２】
また、図３の「送信電力の大きなシンボル」３０１に含まれる制御シンボルには、図２の端末２０が「近距離通信」を行っているか、「長距離通信」を行っているかを示す情報が含まれている。例えば、制御シンボルは、ビットｃ０を含んでおり、端末２０が「近距離通信」のためのデータシンボルを送信する場合にはｃ０を「０」に設定し、端末２０が「長距離通信」のためのデータシンボルを送信する場合にはｃ０を「１」に設定してもよい。図３では、端末２０が「近距離通信」用のデータシンボルを送信するので、ｃ０は「０」に設定される。
【００４３】
これに対して、図３に示す、同期用シンボル３０２、ＡＧＣ用シンボル３０３、制御シンボル３０４、及び、データシンボル３０５は、「近距離通信」用シンボル（シンボル群）である。つまり、これらの近距離通信用シンボルは、図１に示す端末＃Ｂ（１０４）が近距離用ＡＰ＃１（１０３）に伝送するためのシンボルである。図３に示すように、これらの近距離通信用シンボルは、「送信電力の大きなシンボル」３０１に対して、「送信電力の小さなシンボル」である。
【００４４】
なお、「送信電力の大きなシンボル」３０１及び「送信電力の小さなシンボル」３０２〜３０５の詳細な説明については後述する。
【００４５】
また、図３に示すフレーム構成において特長的な点は、「送信電力の大きなシンボル」３０１にＡＧＣ用シンボル（第１のＡＧＣ用シンボル）が含まれているとともに、「近距離通信用シンボル」３０２〜３０５の中に別のＡＧＣ用シンボル（第２のＡＧＣ用シンボル）３０３が存在している点である。
【００４６】
具体的には、図１において、端末＃Ｂ（１０４）が「送信電力の大きなシンボル」３０１に含まれる第１のＡＧＣ用シンボルを送信することで、ＡＰ（１０１）、端末＃Ａ（１０２）及び近距離用ＡＰ＃１（１０３）は、「長距離通信」の送信電力に応じて受信信号（送信電力の大きなシンボル）のレベルを容易に調整することができる。このため、ＡＰ（１０１）及び端末＃Ａ（１０２）は、「送信電力の大きなシンボル」３０１の情報を復調することができる。
【００４７】
また、図１において、端末＃Ｂ（１０４）が第２のＡＧＣ用シンボル３０３を送信することで、近距離用ＡＰ＃１（１０３）は、「近距離通信」の送信電力に応じて受信信号（送信電力の小さなシンボル）のレベルを容易に調整することができる。このため、近距離用ＡＰ＃１（１０３）は、近距離通信用制御シンボル３０４、近距離通信用データシンボル３０５を復調することができる。
【００４８】
このように、近距離用ＡＰ＃１（１０３）は、図３に示すように、「送信電力の大きなシンボル」３０１に含まれる第１のＡＧＣ用シンボル及び「近距離通信用シンボル」３０２〜３０５に含まれる第２のＡＧＣ用シンボルを用いて、異なる送信電力で送信される両方のシンボル群の受信信号レベルを正確に調整することができる。
【００４９】
なお、図３に示すフレームを受信したときの、図１に示すＡＰ（１０１）、近距離用ＡＰ＃１（１０３）及び端末＃Ａ（１０２）の動作の詳細については後述する。
【００５０】
また、図３に示すフレーム構成は一例であって、図３に示すシンボル以外のシンボル（例えば、受信装置がチャネル変動を推定するためのパイロットシンボル（リファレンスシンボル）等）が含まれていてもよい。
【００５１】
（２）近距離通信のみを行うことができる端末２０が送信するフレーム構成
図４は、近距離通信の変調信号を送信できる端末２０が伝送する変調信号のフレーム構成の一例を示す。
【００５２】
すなわち、図４は、図１に示す端末＃Ｂ（１０４）が近距離用ＡＰ＃１（１０３）に対して近距離用データを送信する際のフレーム構成例を示す。
【００５３】
図４において、横軸は時間を示し、縦軸は送信電力を示す。なお、図４に示すフレーム構成において、図３に示すフレーム構成と同一構成については同一符号を付し、その説明を省略する。
【００５４】
具体的には、図４に示すフレーム構成において、図３に示すフレーム構成と異なる点は、「送信電力の大きなシンボル」が存在していない点である。
【００５５】
図４に示す同期用シンボル３０２、ＡＧＣ用シンボル３０３、制御シンボル３０４、及び、データシンボル３０５は、「近距離通信」用シンボルである。つまり、これらの近距離通信用シンボルは、図１に示す端末＃Ｂ（１０４）が近距離用ＡＰ＃１（１０３）に伝送するためのシンボルである。
【００５６】
なお、図４に示すフレームを受信したときの、図１に示す近距離用ＡＰ＃１（１０３）の動作の詳細については後述する。
【００５７】
また、図４に示すフレーム構成は一例であって、図４に示すシンボル以外のシンボル（例えば、受信装置がチャネル変動を推定するためのパイロットシンボル（リファレンスシンボル）等）が含まれていてもよい。
【００５８】
（３）長距離通信のみを行うことができる端末２０が送信するフレーム構成
図５は、長距離通信の変調信号を送信できる端末２０が伝送する変調信号のフレーム構成の一例を示す。
【００５９】
すなわち、図５は、図１に示す端末＃Ａ（１０２）がＡＰ（１０１）に対して長距離通信用データを送信する際のフレーム構成例を示す。
【００６０】
図５において、横軸は時間を示し、縦軸は送信電力を示す。なお、図５に示すフレーム構成において、図３に示すフレーム構成と同一構成については同一符号を付し、その説明を省略する。
【００６１】
具体的には、図５に示すフレーム構成において、図３に示すフレーム構成と異なる点は、シンボル３０２〜３０５の代わりにシンボル５０１〜５０４が配置される点である。なお、図５に示すフレーム構成において、図３に示すフレーム構成と同様、「送信電力の大きなシンボル」３０１が配置されている。
【００６２】
図５に示すシンボル５０１は、長距離通信の同期用シンボル（受信装置において周波数同期及び／又は時間同期をとるためのシンボル）である。図２の端末２０が図５に示す変調信号を送信した場合、受信装置であるＡＰ（１０１）は、同期用シンボル５０１を用いて、周波数同期及び／又は時間同期をとる。なお、ＡＰ（１０１）は、同期用シンボル５０１を検出することで、信号検出を行ってもよい。また、別の方法として、ＡＰにおいて信号を検出するためのシンボル（図示せず）が、同期用シンボル５０１の前に存在していてもよい。
【００６３】
シンボル５０２は、長距離通信用のＡＧＣ用シンボルである。端末２０が図５に示す変調信号を送信した場合、受信装置であるＡＰ（１０１）は、ＡＧＣ用シンボル５０２を用いて、受信信号の信号レベルを調整する。
【００６４】
シンボル５０３は、長距離通信用の制御シンボルである。制御シンボル５０３は、例えば、長距離通信用のデータシンボル５０４を生成するために使用する誤り訂正符号の方法（例えば、誤り訂正符号の符号化率、誤り訂正符号の符号長（ブロック長）等）、変調方式等の情報を通信相手に通知するためのシンボルである。
【００６５】
シンボル５０４は、長距離通信用のデータシンボルであり、通信相手にデータを伝送するためのシンボルである。
【００６６】
図５において、「送信電力の大きなシンボル」３０１は、図１に示すＡＰ（１０１）、端末＃Ｂ（１０４）、近距離通信用ＡＰ＃１（１０３）において受信できるレベルでの送信電力で端末＃Ａ（１０２）から送信される。
【００６７】
また、「送信電力の大きなシンボル」３０１に含まれる制御シンボルには、端末２０が「近距離通信」を行っているか、「長距離通信」を行っているかを示す情報が含まれている。例えば、制御情報シンボルは、ビットｃ０を含んでおり、端末２０が「近距離通信」のためのデータシンボルを送信する場合にはｃ０を「０」に設定し、端末２０が「長距離通信」のためのデータシンボルを送信する場合にはｃ０を「１」に設定してもよい。図５では、端末２０が「長距離通信」用のデータシンボルを送信するので、ｃ０は「１」に設定される。
【００６８】
また、図５において、同期用シンボル５０１、ＡＧＣ用シンボル５０２、制御シンボル５０３、及び、データシンボル５０４は、「長距離通信」用シンボル（シンボル群）である。つまり、これらの長距離通信用シンボルは、図１に示す端末＃Ａ（１０２）がＡＰ（１０１）に伝送するためのシンボルである。図５に示すように、これらの長距離通信用シンボルは、少なくとも、図１に示すＡＰ（１０１）において受信できるレベルでの送信電力（「送信電力の大きなシンボル」３０１と同等の送信電力）で端末＃Ａ（１０２）から送信される。
【００６９】
なお、「送信電力の大きなシンボル」３０１の詳細な説明については後述する。
【００７０】
また、図５に示すフレームを受信したときの、図１に示すＡＰ（１０１）、近距離用ＡＰ＃１（１０３）及び端末＃Ａ（１０２）の動作の詳細については後述する。
【００７１】
また、図５に示すフレーム構成は一例であって、図５に示すシンボル以外のシンボル（例えば、受信装置がチャネル変動を推定するためのパイロットシンボル（リファレンスシンボル）等）が含まれていてもよい。
【００７２】
以上、端末２０の各通信形態に応じた送信フレーム構成の一例について説明した。
【００７３】
［送信電力の大きなシンボル及び送信電力の小さなシンボルについて］
次に、「送信電力の大きなシンボル」３０１及び「送信電力の小さなシンボル（近距離通信用シンボル）」３０２〜３０５について詳細に説明する。
【００７４】
ここでは、一例として、送信電力が大きなシンボルに対してＢＰＳＫ（Binary Phase Shift Keying）を適用した場合について説明する。図６は、送信電力が大きなシンボルについての同相−直交平面（Ｉ−Ｑ平面）におけるＢＰＳＫの信号点の配置例を示す。
【００７５】
図６に示すように、データｂ０＝「０」の信号点は、同相成分Ｉ＝−１×ａ、直交成分Ｑ＝０に配置される。また、データｂ０＝「１」の信号点は、同相成分Ｉ＝１×ａ、直交成分Ｑ＝０に配置される。ここで、ａは、送信電力が大きなシンボルの信号点の同相成分の絶対値であり、０より大きい実数である。
【００７６】
図７は、一例として、図３又は図４に示す近距離通信用シンボル（同期用シンボル３０２、ＡＧＣ用シンボル３０３、制御シンボル３０４、又は、データシンボル３０５）に対してＢＰＳＫを適用した場合のＩ−Ｑ平面におけるＢＰＳＫの信号点の配置例を示す。
【００７７】
図７に示すように、データｂ０＝「０」の信号点は、同相成分Ｉ＝−１×ｂ、直交成分Ｑ＝０に配置される。また、データｂ０＝「１」の信号点は、同相成分Ｉ＝１×ｂ、直交成分Ｑ＝０に配置される。ここで、ｂは、近距離通信用シンボルの信号点の同相成分の絶対値であり、０より大きい実数である。
【００７８】
このとき、Ｉ−Ｑ平面に配置される信号点において「ａはｂより大きい（ａ＞ｂ）」ことにより、図３のような「送信電力が大きなシンボル」３０１と「近距離通信用シンボル（つまり送信電力が小さなシンボル）」３０２〜３０５が成立する。
【００７９】
図８は、他の例として、図３又は図４に示す近距離通信用シンボル（同期用シンボル３０２、ＡＧＣ用シンボル３０３、制御シンボル３０４、または、データシンボル３０５）に対してＱＰＳＫ（Quadrature Phase Shift Keying）を適用した場合のＩ−Ｑ平面におけるＱＰＳＫの信号点の配置の例を示している。
【００８０】
図８に示すように、データｂ０＝「０」及びデータｂ１＝「０」の信号点は、同相成分Ｉ＝１×ｃ、直交成分Ｑ＝１×ｃに配置される。また、データｂ０＝「０」及びデータｂ１＝「１」の信号点は、同相成分Ｉ＝１×ｃ、直交成分Ｑ＝−１×ｃに配置される。また、データｂ０＝「１」及びデータｂ１＝「０」の信号点は、同相成分Ｉ＝−１×ｃ、直交成分Ｑ＝１×ｃに配置される。また、データｂ０＝「１」及びデータｂ１＝「１」の信号点は、同相成分Ｉ＝−１×ｃ、直交成分Ｑ＝−１×ｃに配置される。ここで、ｃは、近距離通信用シンボルの信号点の同相成分及び直交成分の絶対値であり、０より大きい実数である。
【００８１】
このとき、図６に示す「送信電力が大きなシンボル」と図８に示す「近距離通信用シンボル（つまり送信電力が小さなシンボル）」との間には、Ｉ−Ｑ平面に配置される信号点において次式（１）の関係が成立する。
【００８２】
【数１】
2016174848.tif 000003
【００８３】
次に、図９及び図１０は、ＯＦＤＭ方式のようなマルチキャリア方式を用いた場合の「送信電力が大きなシンボル」の周波数―時間領域におけるシンボル配置の一例を示す。
【００８４】
図９は、横軸を周波数とし、縦軸を時間としたときのシンボル配置例を示す。図９において、周波数軸方向は、キャリア１からキャリア６で構成されており、時間軸方向は、時刻１、時刻２のフレームで構成されている。
【００８５】
図９に示すシンボル９０１は、キャリア２，４，６に配置された「送信電力が大きなシンボル」を含むシンボルを示す。例えば、図６に示すマッピングが行われている場合、シンボル９０１はＢＰＳＫのシンボルである。
【００８６】
図９に示すシンボル９０２は、キャリア１，３，５に配置された「送信電力が大きなシンボル」を含まないシンボルである。したがって、例えば、シンボル９０２は、同相成分Ｉ＝０、直交成分Ｑ＝０のシンボルである。
【００８７】
なお、周波数―時間軸におけるシンボル配置は、図９に限定されるものではない。また、図９に示すシンボル９０１及びシンボル９０２以外のシンボルが、同一時間帯に含まれていてもよい。
【００８８】
図１０は、横軸を周波数とし、縦軸を時間としたときのシンボル配置例を示す。図１０は、図９とは異なるシンボル配置の例を示している。図１０では、周波数軸方向は、キャリア１からキャリア６で構成されており、時間軸方向は、時刻１、時刻２のフレームで構成されている。
【００８９】
図１０では、時刻１、時刻２、及びキャリア１〜６には、「送信電力が大きなシンボル」を含むシンボル９０１が配置されている。例えば、図６に示すマッピングが行われている場合、シンボル９０１はＢＰＳＫのシンボルである。
【００９０】
なお、周波数−時間軸におけるフレーム構成は、図１０に示す構成に限定されるものではない。また、図１０に示すシンボル９０１以外のシンボルが同一時間領域に含まれていてもよい。
【００９１】
また、送信電力が大きいシンボル３０１に対して、図６に示すマッピングとは異なるマッピングのＢＰＳＫを適用してもよい。図１１は、図６に示すＢＰＳＫの信号点配置とは異なる、Ｉ−Ｑ平面におけるＢＰＳＫの信号点の配置例を示す。
【００９２】
図１１に示すように、データｂ０＝「０」の信号点は、同相成分Ｉ＝−１×ｄ、直交成分Ｑ＝−１×ｄに配置される。また、データｂ０＝「１」の信号点は、同相成分Ｉ＝１×ｄ、直交成分Ｑ＝１×ｄに配置される。ここで、ｄは、送信電力が大きいシンボルの信号点の同相成分及び直交成分の絶対値であり、０より大きい実数である。
【００９３】
ここで、図１１に示す「送信電力が大きなシンボル」と図７に示す「近距離通信用シンボル（つまり送信電力が小さなシンボル）」との間には、Ｉ−Ｑ平面に配置される信号点において次式（２）の関係が成立する。
【００９４】
【数２】
2016174848.tif 000004
【００９５】
同様に、図１１に示す「送信電力が大きなシンボル」と図８に示す「近距離通信用シンボル（つまり送信電力が小さなシンボル）」との間には、Ｉ−Ｑ平面に配置される信号点において次式（３）の関係が成立する。
【００９６】
【数３】
2016174848.tif 000005
【００９７】
以上のように説明した、送信電力が大きなシンボル３０１と送信電力が小さなシンボル（近距離通信用シンボル）３０２〜３０５との関係について、一般式を用いて説明する。
【００９８】
「送信電力が大きなシンボル」３０１の変調方式のＩ−Ｑ平面における信号点の数をＭとし、各信号点の同相成分をＩa,jとし、直交成分をＱa,jとした場合、平均電力は次式（４）で表される。
【００９９】
【数４】
2016174848.tif 000006
【０１００】
また、図３又は図４に示す「近距離通信用データシンボル」３０５の変調方式のＩ−Ｑ平面における信号点の数をＮとし、各信号点の同相成分をＩb,jとし、直交成分をＱb,jとした場合、平均電力は次式（５）で表される。
【０１０１】
【数５】
2016174848.tif 000007
【０１０２】
このとき、「送信電力が大きなシンボル」３０１のＩ−Ｑ平面における信号点の平均電力と、「近距離通信用データシンボル３０５」のＩ−Ｑ平面における信号点の平均電力との間には次式（６）の関係が成立する。
【０１０３】
【数６】
2016174848.tif 000008
【０１０４】
また、図３又は図４に示す同期用シンボル３０２、ＡＧＣ用シンボル３０３又は制御シンボル３０４の平均電力が式（５）で表される場合にも式（６）が成立する。
【０１０５】
［近距離用ＡＰ＃１（１０３）の構成］
図１２は、本実施の形態に係る通信システムにおいて動作する近距離用ＡＰ＃１（１０３）の構成を示すブロック図である。
【０１０６】
図１２に示す近距離用ＡＰ＃１（１０３）は、受信アンテナ１２０１と、受信部１２０３と、制御部１２０６と、送信部１２０９と、送信アンテナ１２１１と、を含む構成を採る。
【０１０７】
近距離用ＡＰ＃１（１０３）において、受信部１２０３は、通信相手から送信された変調信号が存在しているとき、動作する。受信部１２０３は、アンテナ１２０１で受信した受信信号１２０２を入力とする。受信部１２０３は、受信信号１２０２に対して、周波数変換、周波数・時間同期、復調、誤り訂正復号等の受信処理を施し、受信データ１２０４、及び／又は、制御情報１２０５を出力する。制御情報１２０５には、例えば、通信方法（近距離通信又は長距離通信）に関する情報、又は、通信開始を示す情報が含まれる。
【０１０８】
制御部１２０６は、通信開始を示す情報を含む指示信号１２００を受けて、通信開始に関連する制御信号１２０７を生成し、送信部１２０９へ出力する。制御信号１２０７には、例えば、通信方法（近距離通信又は長距離通信）に関する情報、変調方式に関する情報、誤り訂正方式に関する情報等が含まれる。
【０１０９】
なお、制御部１２０６は、制御情報１２０５を入力の一つとしており、制御情報１２０５に基づいて通信方法を切り替えてもよい。また、制御部１２０６は、制御情報１２０５に含まれる通信開始を示す情報に基づいて、通信開始に関連する制御信号１２０７を送信部１２０９に出力してもよい。
【０１１０】
送信部１２０９は、データ１２０８及び制御信号１２０７を入力とする。送信部１２０９は、データ１２０８及び制御信号１２０７に対して、誤り訂正符号化、変調（マッピング）等の処理を施しデータシンボルを生成する。また、送信部１２０９は、時間領域又は周波数領域での同期用のシンボル、受信装置において信号検出するためのシンボル、伝搬路を推定するためのパイロットシンボル（リファレンスシンボル）、ＡＧＣ用シンボル（受信装置において信号のレベルを調整するためのシンボル）、制御シンボルなどを生成し、これらのシンボルに相当する変調信号１２１０を出力する。
【０１１１】
変調信号１２１０は、アンテナ１２１１から電波として出力される。このときの通信方式としては、ＯＦＤＭ方式でもよく、シングルキャリア伝送方式でもよく、スペクトル拡散通信方式でもよい。
【０１１２】
また、制御部１２０６は、近距離通信用の変調信号を送信する際、長距離通信用の変調信号も併せて送信するように制御する。その際、制御部１２０６は、近距離通信及び長距離通信の各々の変調信号に対して、送信電力を設定する。例えば、「近距離通信」用の変調信号の平均送信電力をＰａとし、「長距離通信」用の変調信号の平均送信電力をＰｂとする。この場合、Ｐａ＜Ｐｂ（ＰｂはＰａより大きい）が成立することになる。
【０１１３】
［近距離用ＡＰ＃１（１０３）の送信フレーム構成］
以下では、上述した図１２の近距離用ＡＰ＃１（１０３）が送信する送信フレーム構成の一例について説明する。
【０１１４】
図１３は、近距離用ＡＰ＃１（１０３）が近距離用データを伝送する際の変調信号のフレーム構成の一例を示す。
【０１１５】
すなわち、図１３は、図１に示す近距離用ＡＰ＃１（１０３）が端末＃Ｂ（１０４）に対して近距離用データを送信する際のフレーム構成例を示す。
【０１１６】
図１３において、横軸は時間を示し、縦軸は送信電力を示す。
【０１１７】
図１２の近距離用ＡＰ＃１（１０３）は、まず、「送信電力の大きなシンボル」１３０１を送信する。ここで、近距離用ＡＰ＃１（１０３）は、端末とは異なり、コンセントから電源供給を受けることができる可能性が高い。この点から、近距離用ＡＰ＃１（１０３）では、「送信電力の大きなシンボル」１３０１の送信に要する消費電力に関する制約が、端末よりも低い可能性がある。
【０１１８】
図１３に示すシンボル１３０１は、「送信電力の大きなシンボル」の構成例を示す。シンボル１３０１は、例えば、同期シンボル（受信装置において周波数同期及び／又は時間同期をとるためのシンボル）、ＡＧＣ用シンボル（受信装置において信号のレベルを調整するためのシンボル）、制御シンボル等を含むシンボル群である。また、シンボル１３０１には、更に、信号検出用のシンボルが含まれていてもよい。
【０１１９】
シンボル１３０２、１３０３、１３０４、１３０５は、「近距離通信」用シンボルである。シンボル１３０２は、近距離通信の同期用シンボル（受信装置において周波数同期及び／又は時間同期をとるためのシンボル）である。近距離用ＡＰ＃１（１０３）が図１３に示す変調信号を送信した場合、受信装置である端末は、同期用シンボル１３０２を用いて、周波数同期及び／又は時間同期をとる。なお、端末は、同期用シンボル１３０２を検出することで、信号検出を行ってもよい。また、別の方法として、端末において信号を検出するためのシンボル（図示せず）が、同期用シンボル１３０２の前に存在していてもよい。
【０１２０】
シンボル１３０３は、近距離通信用のＡＧＣ用シンボルである。近距離用ＡＰ＃１（１０３）が図１３に示すように変調信号を送信した場合、受信装置である端末は、ＡＧＣ用シンボル１３０３を用いて、受信信号の信号レベルを調整する。
【０１２１】
シンボル１３０４は、近距離通信用の制御シンボルである。制御シンボル１３０４は、例えば、近距離通信用のデータシンボル１３０５を生成するために使用する誤り訂正符号の方法（例えば、誤り訂正符号の符号化率、誤り訂正符号の符号長（ブロック長）等）、変調方式等の情報を通信相手に通知するためのシンボルである。
【０１２２】
シンボル１３０５は、近距離通信用データシンボルであり、通信相手である受信装置にデータを伝送するためのシンボルである。
【０１２３】
図１３において、「送信電力の大きなシンボル」１３０１は、図１に示すＡＰ（１０１）及び端末＃Ａ（１０２）において受信できるレベルの送信電力で近距離用ＡＰ＃１（１０３）から送信される。つまり、近距離用ＡＰの送信部１２０９は、長距離通信に設定された送信電力で「送信電力の大きなシンボル」を送信し、近距離通信に設定された送信電力で「近距離通信用シンボル」１３０２〜１３０５を送信する。
【０１２４】
また、「送信電力の大きなシンボル」１３０１に含まれる制御シンボルには、近距離用ＡＰ＃１（１０３）が「近距離通信」を行っているか、「長距離通信」を行っているかを示す情報が含まれている。例えば、制御情報シンボルは、ビットｃ０を含んでおり、「近距離通信」のためのデータシンボルを送信する場合にはｃ０が「０」に設定され、「長距離通信」のためのデータシンボルを送信する場合にはｃ０が「１」に設定されてもよい。図１３では、近距離用ＡＰ＃１（１０３）が「近距離通信」用のデータシンボルを送信するので、ｃ０は「０」に設定される。
【０１２５】
これに対して、図１３に示す、同期用シンボル１３０２、ＡＧＣ用シンボル１３０３、制御シンボル１３０４、及び、データシンボル１３０５は、「近距離通信」用シンボル（シンボル群）である。つまり、これらの近距離通信用シンボルは、図１に示す近距離用ＡＰ＃１（１０３）が端末＃Ｂ（１０４）に伝送するためのシンボルである。図１３に示すように、これらの近距離通信用シンボルは、「送信電力の大きなシンボル」１３０１に対して、「送信電力の小さなシンボル」である。
【０１２６】
なお、「送信電力の大きなシンボル」１３０１及び「送信電力の小さなシンボル（近距離通信用シンボル）」１３０２〜１３０５の関係については、図６〜図１０及び式（１）〜式（６）等を用いて説明した「送信電力の大きなシンボル」３０１及び「送信電力の小さなシンボル」の関係と同様であるので、ここではその説明を省略する。
【０１２７】
図１３に示すフレーム構成において特長的な点は、「送信電力の大きなシンボル」１３０１にＡＧＣ用シンボル（第１のＡＧＣ用シンボル）が含まれているとともに、「近距離通信用シンボル」１３０２〜１３０５の中に別のＡＧＣ用シンボル（第２のＡＧＣ用シンボル）１３０３が存在している点である。
【０１２８】
具体的には、図１において、近距離用ＡＰ＃１（１０３）が「送信電力の大きなシンボル」１３０１に含まれる第１のＡＧＣ用シンボルを送信することで、ＡＰ（１０１）、端末＃Ａ（１０２）又は端末＃Ｂ（１０４）は、受信信号（送信電力の大きなシンボル）のレベルを容易に調整することができる。このため、ＡＰ（１０１）及び端末＃Ａ（１０２）は、「送信電力の大きなシンボル」１３０１の情報を復調することができる。
【０１２９】
また、図１において、近距離用ＡＰ＃１（１０３）が第２のＡＧＣ用シンボル１３０３を送信することで、端末＃Ｂ（１０４）は、受信信号（送信電力の小さなシンボル）のレベルを容易に調整することができる。このため、端末＃Ｂ（１０４）は、近距離通信用制御シンボル１３０４、近距離通信用データシンボル１３０５を復調することができる。
【０１３０】
このように、端末＃Ｂ（１０４）は、図１３に示すように、「送信電力の大きなシンボル」１３０１に含まれる第１のＡＧＣ用シンボル及び「近距離通信用シンボル」１３０２〜１３０５に含まれる第２のＡＧＣ用シンボルを用いて、異なる送信電力で送信される両方のシンボル群の受信信号レベルを正確に調整することができる。
【０１３１】
なお、図１３に示すフレームを受信したときの、図１に示すＡＰ（１０１）及び端末＃Ａ（１０２）の動作の詳細については後述する。
【０１３２】
また、図１３に示すフレーム構成は一例であって、図１３に示すシンボル以外のシンボル（例えば、受信装置がチャネル変動を推定するためのパイロットシンボル（リファレンスシンボル）等）が含まれていてもよい。
【０１３３】
［ＡＰ（１０１）の構成］
図１４は、本実施の形態に係る通信システムにおいて動作するＡＰ（１０１）の構成を示すブロック図である。
【０１３４】
図１４に示すＡＰ（１０１）は、受信アンテナ１４０１と、受信部１４０３と、制御部１４０６と、送信部１４０９と、送信アンテナ１４１１と、を含む構成を採る。
【０１３５】
ＡＰ（１０１）において、受信部１４０３は、通信相手から送信された変調信号が存在しているとき、動作する。受信部１４０３は、アンテナ１４０１で受信した受信信号１４０２を入力とする。受信部１４０３は、受信信号１４０２に対して、周波数変換、周波数・時間同期、復調、誤り訂正復号等の受信処理を施し、受信データ１４０４、及び／又は、制御情報１４０５を出力する。制御情報１４０５には、例えば、通信方法（近距離通信又は長距離通信）に関する情報、又は、通信開始を示す情報が含まれる。
【０１３６】
制御部１４０６は、通信開始を示す情報を含む指示信号１４００を受けて、通信開始に関連する制御信号１４０７を生成し、送信部１４０９へ出力する。制御信号１４０７には、例えば、通信方法（近距離通信又は長距離通信）に関する情報、変調方式に関する情報、誤り訂正方式に関する情報等が含まれる。
【０１３７】
なお、制御部１４０６は、制御情報１４０５を入力の一つとしており、制御情報１４０５に基づいて通信方法を切り替えてもよい。また、制御部１４０６は、制御情報１４０５に含まれる通信開始を示す情報に基づいて、通信開始に関連する制御信号１４０７を送信部１４０９に出力してもよい。
【０１３８】
送信部１４０９は、データ１４０８及び制御信号１４０７を入力とする。送信部１４０９は、データ１４０８及び制御信号１４０７に対して、誤り訂正符号化、変調（マッピング）等の処理を施しデータシンボルを生成する。また、送信部１４０９は、時間領域又は周波数領域での同期用のシンボル、受信装置において信号検出するためのシンボル、伝搬路を推定するためのパイロットシンボル（リファレンスシンボル）、ＡＧＣ用シンボル（受信装置において信号のレベルを調整するためのシンボル）、制御シンボルなどを生成し、これらのシンボルに相当する変調信号１４１０を出力する。
【０１３９】
変調信号１４１０は、アンテナ１４１１から電波として出力される。このときの通信方式としては、ＯＦＤＭ方式でもよく、シングルキャリア伝送方式でもよく、スペクトル拡散通信方式でもよい。
【０１４０】
また、制御部１４０６は、長距離通信の変調信号に対して送信電力を設定する。例えば、「近距離通信」用の変調信号の平均送信電力をＰａとし、「長距離通信」用の変調信号の平均送信電力をＰｂとする。この場合、Ｐａ＜Ｐｂ（ＰｂはＰａより大きい）が成立することになる。
【０１４１】
［ＡＰ（１０１）の送信フレーム構成］
以下では、上述したＡＰ（１０１）が送信する送信フレーム構成の一例について説明する。
【０１４２】
図１５は、ＡＰ（１０１）が長距離用データを伝送する際の変調信号のフレーム構成の一例を示す。
【０１４３】
すなわち、図１５は、図１に示すＡＰ（１０１）が端末＃Ａ（１０２）に対して長距離用データを送信する際のフレーム構成例を示す。
【０１４４】
図１５において、横軸は時間を示し、縦軸は送信電力を示す。なお、図１５に示すフレーム構成において、図３に示すフレーム構成と同一構成については同一符号を付し、その説明を省略する。
【０１４５】
具体的には、図１５に示すフレーム構成において、図３に示すフレーム構成と同様、ＡＰ（１０１）は、まず、送信電力の大きなシンボル３０１を送信する。
【０１４６】
図１５に示すシンボル１５０１は、長距離通信の同期用シンボル（受信装置において周波数同期及び／又は時間同期をとるためのシンボル）である。ＡＰ（１０１）が図１５に示す変調信号を送信した場合、受信装置である端末＃Ａ（１０２）は、同期用シンボル１５０１を用いて、周波数同期及び／又は時間同期をとる。なお、端末＃Ａ（１０２）は、同期用シンボル１５０１を検出することで、信号検出を行ってもよい。また、別の方法として、端末＃Ａ（１０２）において信号を検出するためのシンボル（図示せず）が、同期用シンボル１５０１の前に存在していてもよい。
【０１４７】
シンボル１５０２は、長距離通信用のＡＧＣ用シンボルである。ＡＰ（１０１）が図１５に示す変調信号を送信した場合、受信装置である端末＃Ａ（１０２）は、ＡＧＣ用シンボル１５０２を用いて、受信信号の信号レベルを調整する。
【０１４８】
シンボル１５０３は、長距離通信用の制御シンボルである。制御シンボル１５０３は、例えば、長距離通信用のデータシンボル１５０４を生成するために使用する誤り訂正符号の方法（例えば、誤り訂正符号の符号化率、誤り訂正符号の符号長（ブロック長）等）、変調方式等の情報を通信相手に通知するためのシンボルである。
【０１４９】
シンボル１５０４は、長距離通信用のデータシンボルであり、通信相手にデータを伝送するためのシンボルである。
【０１５０】
図１５において、「送信電力の大きなシンボル」３０１は、図１に示す端末＃Ａ（１０２）、端末＃Ｂ（１０４）、近距離通信用ＡＰ＃１（１０３）において受信できるレベルでの送信電力でＡＰ（１０１）から送信される。
【０１５１】
また、「送信電力の大きなシンボル」３０１に含まれる制御シンボルには、ＡＰ（１０１）が「長距離通信」を行っていることを示す情報が含まれている。例えば、制御情報シンボルは、ビットｃ０を含んでおり、「近距離通信」のためのデータシンボルを送信する場合にはｃ０が「０」に設定され、「長距離通信」のためのデータシンボルを送信する場合にはｃ０が「１」に設定されてもよい。図１５では、ＡＰ（１０１）が「長距離通信」用のデータシンボルを送信するので、ｃ０は「１」に設定される。
【０１５２】
また、図１５において、同期用シンボル１５０１、ＡＧＣ用シンボル１５０２、制御シンボル１５０３、及び、データシンボル１５０４は、「長距離通信」用シンボル（シンボル群）である。つまり、これらの長距離通信用シンボルは、図１に示すＡＰ（１０１）が端末＃Ａ（１０２）に伝送するためのシンボルである。図１５に示すように、これらの長距離通信用シンボルは、少なくとも、図１に示す端末＃Ａ（１０２）において受信できるレベルでの送信電力（「送信電力の大きなシンボル」３０１と同等の送信電力）でＡＰ（１０１）から送信される。
【０１５３】
なお、「送信電力の大きなシンボル」３０１については、図６〜図１０及び式（１）〜式（６）等を用いて説明したので、ここではその説明を省略する。
【０１５４】
また、図１５に示すフレーム構成は一例であって、図１５に示すシンボル以外のシンボル（例えば、受信装置がチャネル変動を推定するためのパイロットシンボル（リファレンスシンボル）等）が含まれていてもよい。
【０１５５】
［各機器の動作］
上述したように、図３、図５、図１３及び図１５に示すフレーム構成には、「送信電力の大きなシンボル」３０１、１３０１が存在する。以下では、各機器が「送信電力の大きなシンボル」３０１を受信した際の動作について説明する。
【０１５６】
＜ＡＰ（１０１）の動作＞
ＡＰ（１０１）は、以下の動作（１０１−１）〜（１０１−３）を行う。
【０１５７】
動作（１０１−１）：
ＡＰ（１０１）の受信部１４０３が或る時間帯（time period）で「送信電力の大きなシンボル」３０１を検出できない場合（「送信電力の大きなシンボル」３０１を受信できない場合）（つまり、何れの機器も「送信電力の大きなシンボル」３０１を送信していない場合）、ＡＰ（１０１）は、変調信号（例えば、図１５を参照）を送信できると判断する。
【０１５８】
動作（１０１−２）：
ＡＰ（１０１）の受信部１４０３が或る時間帯で「送信電力の大きなシンボル」３０１を検出し、「送信電力の大きなシンボル」３０１に含まれる制御シンボル（ｃ０）を復調し、近距離通信用のデータシンボルが受信信号に含まれていると判断した場合（ｃ０が０と判断）、ＡＰ（１０１）は、変調信号（例えば、図１５を参照）を送信しないと判断する。この際、ＡＰ（１０１）は、近距離通信用のデータシンボルの復調のための動作を行わなくてよい。
【０１５９】
動作（１０１−３）：
ＡＰ（１０１）の受信部１４０３が或る時間帯で「送信電力の大きなシンボル」３０１を検出し、「送信電力の大きなシンボル」３０１に含まれる制御シンボル（ｃ０）を復調し、長距離通信用のデータシンボルが受信信号に含まれていると判断した場合（ｃ０が１と判断）、ＡＰ（１０１）は、（次のフレームで）変調信号（例えば、図１５を参照）を送信してもよいと判断する。なお、長距離通信用のデータシンボルが自機宛てのシンボルであると判断した場合、ＡＰ（１０１）は、長距離通信用のデータシンボルの復調を行う。
【０１６０】
このように、ＡＰ（１０１）は、「送信電力の大きなシンボル」３０１を用いて、「近距離通信」を行っている機器が存在しているか否かを判断する。そして、ＡＰ（１０１）は、「近距離通信」を行っている機器が存在していると判断した場合には他の機器に干渉を与えないように「長距離通信」用の変調信号の送信を停止し、「近距離通信」を行っている機器が存在しないと判断した場合には「長距離通信」用の変調信号の送信を実行する。
【０１６１】
＜端末＃Ａ（１０２）の動作＞
端末＃Ａ（１０２）は、以下の動作（１０２−１）〜（１０２−３）を行う。
【０１６２】
動作（１０２−１）：
端末＃Ａ（１０２）の受信部２０３が或る時間帯で「送信電力の大きなシンボル」３０１を検出できない場合（「送信電力の大きなシンボル」３０１を受信できない場合）（つまり、何れの機器も「送信電力の大きなシンボル」３０１を送信していない場合）、端末＃Ａ（１０２）は、長距離通信用の変調信号（例えば、図５を参照）を送信できると判断する。
【０１６３】
動作（１０２−２）：
端末＃Ａ（１０２）の受信部２０３が或る時間帯で「送信電力の大きなシンボル」３０１を検出し、「送信電力の大きなシンボル」３０１に含まれる制御シンボル（ｃ０）を復調し、近距離通信用のデータシンボルが受信信号に含まれていると判断した場合（ｃ０が０と判断）、端末＃Ａ（１０２）は、長距離通信用の変調信号（例えば、図５を参照。ＡＰ（１０１）に対する変調信号）を送信しないと判断する。この際、端末＃Ａ（１０２）は、近距離通信用のデータシンボルの復調のための動作を行わなくてよい。
【０１６４】
動作（１０２−３）：
端末＃Ａ（１０２）の受信部２０３が或る時間帯で「送信電力の大きなシンボル」３０１を検出し、「送信電力の大きなシンボル」３０１に含まれる制御シンボル（ｃ０）を復調し、長距離通信用のデータシンボルが受信信号に含まれていると判断した場合（ｃ０が１と判断）、端末＃Ａ（１０２）は、（次のフレームで）長距離通信用の変調信号（例えば、図５を参照。ＡＰ（１０１）に対する変調信号）を送信してもよいと判断する。なお、長距離通信用のデータシンボルが自機宛てのシンボルであると判断した場合、端末＃Ａ（１０２）は、長距離通信用のデータシンボルの復調を行う。
【０１６５】
このように、端末＃Ａ（１０２）は、「送信電力の大きなシンボル」３０１を用いて、「近距離通信」を行っている機器が存在しているか否かを判断する。そして、端末＃Ａ（１０２）は、「近距離通信」を行っている機器が存在していると判断した場合には他の機器に干渉を与えないように「長距離通信」用の変調信号の送信を停止し、「近距離通信」を行っている機器が存在しないと判断した場合には「長距離通信」用の変調信号の送信を実行する。
【０１６６】
＜近距離用ＡＰ＃１（１０３）の動作＞
近距離用ＡＰ＃１（１０３）は、以下の動作（１０３−１）〜（１０３−３）を行う。
【０１６７】
動作（１０３−１）：
近距離用ＡＰ＃１（１０３）の受信部１２０３が或る時間帯で「送信電力の大きなシンボル」３０１を検出できない場合（「送信電力の大きなシンボル」３０１を受信できない場合）（つまり、何れの機器も「送信電力の大きなシンボル」３０１を送信していない場合）、近距離用ＡＰ＃１（１０３）は、変調信号（例えば、図１３を参照）を送信できると判断する。
【０１６８】
動作（１０３−２）：
近距離用ＡＰ＃１（１０３）の受信部１２０３が或る時間帯で「送信電力の大きなシンボル」３０１を検出し、「送信電力の大きなシンボル」３０１に含まれる制御シンボル（ｃ０）を復調し、近距離通信用のデータシンボルが受信信号に含まれていると判断した場合（ｃ０が０と判断）、近距離用ＡＰ＃１（１０３）は、（次のフレームで）近距離用の変調信号（例えば、図１３を参照。端末＃Ｂ（１０４）に対する変調信号）を送信してもよいと判断する。なお、近距離通信用のデータシンボルが自機宛てのシンボルであると判断した場合、近距離用ＡＰ＃１（１０３）は、近距離通信用のデータシンボルの復調を行う。
【０１６９】
動作（１０３−３）：
近距離用ＡＰ＃１（１０３）の受信部１２０３が或る時間帯で「送信電力の大きなシンボル」３０１を検出し、「送信電力の大きなシンボル」３０１に含まれる制御シンボル（ｃ０）を復調し、長距離通信用のデータシンボルが受信信号に含まれていると判断した場合（ｃ０が１と判断）、近距離用ＡＰ＃１（１０３）は、近距離用の変調信号（例えば、図１３を参照。端末＃Ｂ（１０４）に対する変調信号）を送信しないと判断する。この際、ＡＰ（１０１）は、長距離通信用のデータシンボルの復調のための動作を行わなくてよい。
【０１７０】
このように、近距離用ＡＰ＃１（１０３）は、「送信電力の大きなシンボル」３０１を用いて、「長距離通信」を行っている機器が存在しているか否かを判断する。そして、近距離用ＡＰ＃１（１０３）は、「長距離通信」を行っている機器が存在していると判断した場合には干渉を受ける可能性があるため「近距離通信」用の変調信号の送信を停止し、「長距離通信」を行っている機器が存在しないと判断した場合には「近距離通信」用の変調信号の送信を実行する。
【０１７１】
＜端末＃Ｂ（１０４）の動作＞
端末＃Ｂ（１０４）は、以下の動作（１０４−１）〜（１０４−３）を行う。
【０１７２】
動作（１０４−１）：
端末＃Ｂ（１０４）の受信部２０３が或る時間帯で「送信電力の大きなシンボル」３０１を検出できない場合（「送信電力の大きなシンボル」３０１を受信できない場合）（つまり、何れの機器も「送信電力の大きなシンボル」３０１を送信していない場合）、端末＃Ｂ（１０４）は、変調信号（例えば、図３又は図４を参照）を送信できると判断する。
【０１７３】
動作（１０４−２）：
端末＃Ｂ（１０４）の受信部２０３が或る時間帯で「送信電力の大きなシンボル」３０１を検出し、「送信電力の大きなシンボル」３０１に含まれる制御シンボル（ｃ０）を復調し、近距離通信用のデータシンボルが受信信号に含まれていると判断した場合（ｃ０が０と判断）、端末＃Ｂ（１０４）は、（次のフレームで）近距離用の変調信号（例えば、図３又は図４を参照。近距離用ＡＰ＃１（１０３）に対する変調信号）を送信してもよいと判断する。なお、近距離通信用のデータシンボルが自機宛てのシンボルであると判断した場合、端末＃Ｂ（１０４）は、近距離通信用のデータシンボルの復調を行う。
【０１７４】
動作（１０４−３）：
端末＃Ｂ（１０４）の受信部２０３が或る時間帯で「送信電力の大きなシンボル」３０１を検出し、「送信電力の大きなシンボル」３０１に含まれる制御シンボル（ｃ０）を復調し、長距離通信用のデータシンボルが受信信号に含まれていると判断した場合（ｃ０が１と判断）、端末＃Ｂ（１０４）は、近距離用の変調信号（例えば、図３又は図４を参照。近距離用ＡＰ＃１（１０３）に対する変調信号）を送信しないと判断する。この際、端末＃Ｂ（１０４）は、長距離通信用のデータシンボルの復調のための動作を行わなくてよい。
【０１７５】
このように、端末＃Ｂ（１０４）は、「送信電力の大きなシンボル」３０１を用いて、「長距離通信」を行っている機器が存在しているか否かを判断する。そして、端末＃Ｂ（１０４）は、「長距離通信」を行っている機器が存在していると判断した場合には干渉を受ける可能性があるため「近距離通信」用の変調信号の送信を停止し、「長距離通信」を行っている機器が存在しないと判断した場合には「近距離通信」用の変調信号の送信を実行する。
【０１７６】
以上、各機器が「送信電力の大きなシンボル」３０１を受信した際の動作について説明した。
【０１７７】
以上のように、「近距離通信」を行う機器（例えば、図１の近距離用ＡＰ＃１（１０３）及び端末＃Ｂ（１０４））は、「長距離通信」を行う機器（例えば、図１のＡＰ（１０１）及び端末＃Ａ（１０２））にも届くような送信電力の大きなシンボル（制御シンボル）を送信する。
【０１７８】
そして、長距離通信を行う通信装置（ＡＰ及び端末）は、近距離通信を行う通信装置（近距離用ＡＰ及び端末）から送信された変調信号を受信し、受信した変調信号に「送信電力の大きなシンボル」が含まれる場合には長距離通信を停止し、受信した変調信号に「送信電力の大きなシンボル」が含まれない場合には長距離通信を実行する。
【０１７９】
つまり、「近距離通信」を行う機器は、送信電力の大きなシンボルを送信することにより、「長距離通信」を行う機器に対して、近距離通信を行うことを通知する。すなわち、「近距離通信」を行う機器は、送信電力の大きなシンボルを送信することにより、近距離通信のための送信リソースを確保する。これにより、「長距離通信」を行う機器は、「近距離通信」を行う機器が存在しているか否かを判別することができる。そして、「長距離通信」を行う機器は、「近距離通信」を行う機器が存在していると判別した場合、干渉を与えないように送信制御を行う。こうすることで、信頼性の高いデータ通信を行うことができるという効果を得ることができる。よって、本実施の形態によれば、近距離通信と長距離通信とを同一周波数（少なくとも一部において重なり合う周波数帯）で共存させる場合でも、データ伝送容量の低下を抑えることができる。
【０１８０】
［データ伝送効率について］
次に、データ伝送効率を更に向上させるための通信方法について説明する。
【０１８１】
まず、データ伝送効率に関する課題について説明する。
【０１８２】
上述したように、「近距離通信」を行う機器は、「長距離通信」を行う機器にも届くような送信電力の大きな（制御）シンボルを送信する。これにより、「長距離通信」を行う機器は、「近距離通信」を行う機器が存在しているか否かを判別することができる。そして、「長距離通信」を行う機器は、「近距離通信」を行う機器が存在していると判別した場合に、干渉を与えないように動作を制御する（つまり、変調信号を送信しないと判断する）。
【０１８３】
このとき、他の「近距離通信」機器も、この「近距離通信」を行う機器が送信する「送信電力の大きな（制御）シンボル」を受信し、近距離通信用の変調信号の送信を停止してしまうと、システムにおけるデータ伝送効率は著しく低下することになる。
【０１８４】
ここでは、一例として、図１６に示すように「同一周波数（周波数帯）において「近距離通信」と「長距離通信」とが混在して使用される場合」について検討する。
【０１８５】
なお、図１６において、図１と同様に動作するものについては、同一番号を付している。図１６は、図１に対して、近距離用ＡＰ＃２（１０５）、近距離用ＡＰ＃３（１０７）、端末＃Ｃ（１０６）、端末Ｄ（１０８）が新たに追加された構成を示す。
【０１８６】
図１６において、ＡＰ（１０１）の通信相手は端末＃Ａ（１０２）であり、近距離用ＡＰ＃１（１０３）の通信相手は端末＃Ｂ（１０４）であり、近距離用ＡＰ＃２（１０５）の通信相手は端末＃Ｃ（１０６）であり、近距離用ＡＰ＃３（１０７）の通信相手は端末Ｄ（１０８）である。
【０１８７】
ここで、端末＃Ｂ（１０４）と近距離用ＡＰ＃１（１０３）とが通信を行っている場合について考える。
【０１８８】
この場合、上述したように、端末＃Ｂ（１０４）及び近距離用ＡＰ＃１（１０３）は、「送信電力の大きなシンボル」及び「近距離通信用のシンボル」を送信する（例えば、図３及び図１３を参照）。
【０１８９】
このとき、端末＃Ｂ（１０４）又は近距離用ＡＰ＃１（１０３）において「送信電力が大きなシンボル」を含む変調信号が送信される時間帯に、ＡＰ（１０１）、端末＃Ａ（１０２）、近距離用ＡＰ＃２（１０５）、端末＃Ｃ（１０６）、近距離用ＡＰ＃３（１０７）又は端末＃Ｄ（１０８）が変調信号を送信すると、互いの変調信号が干渉してしまう。このため、データの受信品質が悪くなるので、データ伝送効率を考慮すると、「送信電力の大きなシンボル」当該時間帯では変調信号の送信を行わない方が良い可能性が高い。
【０１９０】
一方、「近距離通信用のシンボル」が届く空間的な距離を考慮すると、端末＃Ｂ（１０４）及び近距離用ＡＰ＃１（１０３）が「近距離通信用のシンボル」を送信している時間帯では、近距離用ＡＰ＃２（１０５）、端末＃Ｃ（１０６）、近距離用ＡＰ＃３（１０７）、端末＃Ｄ（１０８）が当該時間帯に別の「近距離通信用のシンボル」を送信しても、互いの変調信号が干渉する可能性は低い。
【０１９１】
よって、「近距離通信用のシンボル」が存在している時間帯を利用して、効率良くデータを伝送することにより、通信システムでのデータ伝送効率を向上できる可能性が高い。
【０１９２】
以下では、この通信システムにおいてデータ伝送効率を向上させる通信方法について詳しく説明する。
【０１９３】
一例として、図１７を用いて、端末＃Ｂ（１０４）と近距離用ＡＰ＃１（１０３）とが通信を開始した後の各機器における通信状態について説明する。
【０１９４】
図１７において、図１７（Ａ）は、図１６に示す端末＃Ｂ（１０４）が送信する変調信号のフレーム構成の一例を示し、図１７（Ｂ）は、図１６に示す近距離用ＡＰ＃１（１０３）が送信する変調信号のフレーム構成の一例を示し、図１７（Ｃ）は、図１６に示す端末＃Ｃ（１０６）が送信する変調信号のフレーム構成の一例を示し、図１７（Ｄ）は、図１６に示す近距離用ＡＰ＃２（１０５）が送信する変調信号のフレーム構成の一例を示す。
【０１９５】
図１７（Ａ）〜（Ｄ）において、横軸は時間を示し、縦軸は送信電力を示す。
【０１９６】
また、図１７では、端末＃Ｂ（１０４）が、「近距離通信」用の変調信号及び「長距離通信」用の変調信号の両方を送信できる端末であるものとする（例えば、図３を参照）。
【０１９７】
また、図１７において、端末＃Ｂ（１０４）、近距離用ＡＰ＃１（１０３）、端末＃Ｃ（１０６）、及び、近距離用ＡＰ＃２（１０５）の各々は、同一周波数（周波数帯）を使用して変調信号を送信する。
【０１９８】
図１７（Ａ）に示すように、端末＃Ｂ（１０４）は、時間帯（time period）ｔ１で「送信電力の大きなシンボル」１７０１を送信し、時間帯ｔ２で「近距離通信用のシンボル」１７０２を送信する。
【０１９９】
図１７（Ｂ）に示すように、近距離用ＡＰ＃１（１０３）は、時間帯ｔ３で「送信電力の大きなシンボル」１７０３を送信し、時間帯ｔ４で「近距離通信用のシンボル」１７０４を送信する。さらに、近距離用ＡＰ＃１（１０３）は、時間帯ｔ５で「送信電力の大きなシンボル」１７０５を送信し、時間帯ｔ７で「近距離通信用のシンボル」１７０６を送信する。さらに、時間帯ｔ８で「送信電力の大きなシンボル」１７０７を送信し、時間帯ｔ１０で「近距離通信用のシンボル」１７０８を送信し、時間帯ｔ１１で「送信電力の大きなシンボル」１７０９を送信し、時間帯ｔ１３で「近距離通信用のシンボル」１７１０を送信する。
【０２００】
図１７（Ｃ）に示すように、端末＃Ｃ（１０６）は、時間帯ｔ６で「送信電力の大きなシンボル」１７１１を送信し、時間帯ｔ７で「近距離通信用のシンボル」１７１２を送信する。
【０２０１】
図１７（Ｄ）に示すように、近距離用ＡＰ＃２（１０５）は、時間帯ｔ９で「送信電力の大きなシンボル」１７１３を送信し、時間帯ｔ１０で「近距離通信用のシンボル」１７１４を送信し、時間帯ｔ１２で「送信電力の大きなシンボル」１７１５を送信し、時間帯ｔ１３で「近距離通信用のシンボル」１７１６を送信する。
【０２０２】
なお、図１７（Ａ）〜（Ｄ）における「送信電力の大きなシンボル」及び「近距離通信用のシンボル」の関係については、例えば、図６〜図１０及び式（１）〜式（６）等を用いて説明したので、ここではその説明を省略する。
【０２０３】
以下、図１７において、特徴的な点について説明する。
【０２０４】
時間ｔ７において、近距離用ＡＰ＃１と端末＃Ｃとが「近距離通信用のシンボル」１７０６，１７１２をそれぞれ送信しており、時間帯ｔ１０において、近距離用ＡＰ＃１と近距離用ＡＰ＃２とが「近距離通信用のシンボル」１７０８，１７１４をそれぞれ送信しており、時間帯ｔ１３において、近距離用ＡＰ＃１と近距離用ＡＰ＃２とが「近距離通信用のシンボル」１７１０，１７１６をそれぞれ送信している。
【０２０５】
すなわち、図１７では、同一時間帯（ｔ７，ｔ１０，ｔ１３）において、複数の機器が「近距離通信用のシンボル」を送信している。上述したように、「近距離通信用のシンボル」が届く空間的な距離を考慮すると、端末＃Ｂ及び近距離用ＡＰ＃１が近距離通信を行っている時間帯において、端末＃Ｃ及び近距離用ＡＰ＃２が当該時間帯に「近距離通信用のシンボル」を送信しても、互いの変調信号が干渉する可能性は低い。
【０２０６】
これにより、同一周波数（周波数帯）及び同一時間において複数の機器が「近距離通信用シンボル」を同時に送信できるので、システムのデータ伝送効率が向上するという効果を得ることができる。
【０２０７】
次に、図１７における別の特徴的な点について説明する。
【０２０８】
図１７では、同一時間帯に複数の「送信電力の大きなシンボル」が送信されないように制御されている。
【０２０９】
例えば、図１７において、「近距離通信用のシンボル」１７０４と「近距離通信用のシンボル」１７０６との間には、２つ以上の「近距離通信用のシンボル」を時分割するための時間間隔（時間帯ｔ５，ｔ６）が存在している。換言すると、「近距離通信用のシンボル」１７０４と「近距離通信用のシンボル」１７０６との間には、時間領域において重ならずに、２セット以上の「送信電力の大きなシンボル」が配置されうる時間間隔（ガード区間）が存在している。例えば、「近距離通信用のシンボル」１７０４と「近距離通信用のシンボル」１７０６との間は、２セットの「送信電力の大きなシンボル」を送信できるようなフレーム構成となっている。
【０２１０】
これにより、「近距離通信用のシンボル」１７０４と「近距離通信用のシンボル」１７０６との間では、２つ以上の機器が「送信電力の大きなシンボル」を送信することができる。例えば、図１７では、「近距離通信用のシンボル」１７０４と「近距離通信用のシンボル」１７０６との間において、時間帯ｔ５では近距離用ＡＰ＃１が「送信電力の大きなシンボル」１７０５を送信し、時間帯ｔ６では端末＃Ｃが「送信電力の大きなシンボル」１７１１を送信している。つまり、近距離用ＡＰ＃１と端末＃Ｃとはそれぞれの「送信電力の大きなシンボル」を干渉させることなく送信している。
【０２１１】
つまり、「近距離通信用のシンボル」が送信される隣接する時間区間の間に、所定数（図１７では２つ）の「送信電力の大きなシンボル」を送信可能な複数の時間区間が設けられる。そして、近距離通信を行う複数の通信装置（端末及び近距離用ＡＰ）からそれぞれ送信される複数の「送信電力の大きなシンボル」は、これらの複数の時間区間において互いに異なる時間区間で送信される。
【０２１２】
図１７に示すように各機器が「送信電力の大きなシンボル」を時間領域において重ならずに送信することで、「送信電力の大きなシンボル」がより多くの機器で受信できるようになるため、各機器において干渉となる変調信号を送信する可能性を低くすることができる。これにより、システムのデータの伝送効率が向上するという効果を得ることができる。
【０２１３】
また、図１７（Ａ）〜（Ｄ）に示すように、「送信電力の大きなシンボル」が、近距離通信用のシンボルを送信する通信装置（近距離用ＡＰ及び端末）から送信される。この場合、図１６に示すＡＰ１０１及び端末＃Ａ（１０２）は、例えば、図１７に示す各機器が送信する「送信電力の大きなシンボル」を受信し、図１７に示す時間帯ｔ１〜ｔ１３の区間において長距離通信用のシンボルを送信しないと判断する。
【０２１４】
図１８は、通信システムにおいてデータ伝送効率を向上させる通信方法について、図１７とは異なる例の説明に供する図である。なお、図１８において、図１７と同一動作には同一符号を付し、その説明を省略する。
【０２１５】
具体的には、図１７では、端末＃Ｂ（１０４）が、「近距離通信」用の変調信号及び「長距離通信」用の変調信号の両方を送信できる端末であったのに対して、図１８では、端末＃Ｂ（１０４）は、「近距離通信」用の変調信号のみを送信できる端末（例えば図４を参照）である。
【０２１６】
すなわち、図１８（Ａ）に示すように、端末＃Ｂは、時間帯ｔ１で「送信電力の大きなシンボル」を送信せずに、時間帯ｔ２において「近距離通信用シンボル」１７０２のみを送信する。
【０２１７】
図１８では、図１７と同様、同一時間帯（ｔ７，ｔ１０，ｔ１３）において、複数の機器が「近距離通信用のシンボル」を送信する。このように、同一周波数（周波数帯）及び同一時間において複数の機器が「近距離通信用シンボル」を同時に送信できるので、システムのデータ伝送効率が向上するという効果を得ることができる。
【０２１８】
また、図１８では、図１７と同様、同一時間帯に複数の「送信電力の大きなシンボル」が送信されないように制御されている。図１８に示すように各機器が「送信電力の大きなシンボル」を時間領域において重ならずに送信することで、「送信電力の大きなシンボル」がより多くの機器で受信できるようになるため、各機器において干渉となる変調信号を送信する可能性を低くすることができる。これにより、システムのデータの伝送効率が向上するという効果を得ることができる。
【０２１９】
なお、複数の機器が「近距離通信用のシンボル」を送信する例は、図１７及び図１８に限定されるものではな。例えば、２つの近距離用ＡＰが同一時間帯で「近距離通信用のシンボル」を送信してもよく、２つの端末が同一時間帯で「近距離通信用のシンボル」を送信してもよく、近距離用ＡＰと端末とが同一時間帯に「近距離通信用のシンボル」を送信してもよい。また、同一時間帯に「近距離通信用のシンボル」を送信する機器は、３つ以上であってもよい。また、上述したように、各機器は「送信電力の大きなシンボル」を受信・復調し、判断を行うことにより、各機器が「近距離通信用のシンボル」を送信するか否かを判断する。
【０２２０】
また、図１７及び図１８に示す時間帯ｔ７において、「近距離通信用のシンボル」１７０６，１７１２が存在しているが、例えば、「近距離通信用のシンボル」１７０６は時間帯ｔ７全体に渡って存在し、「近距離通信用のシンボル」１７１２は、時間帯ｔ７の範囲内に、「近距離通信用のシンボル」１７０６の時間間隔より短い時間間隔に渡って存在するようにしてもよい。つまり、「近距離通信用のシンボル」１７０６が占める時間リソースと、「近距離通信用のシンボル」１７１２が占める時間リソースとは同一でなくてもよい。換言すると、「近距離通信用のシンボル」１７０６が使用する時間間隔と、「近距離通信用のシンボル」１７１２が使用する時間間隔とは同一でなくてもよい。この点について、同一時間に複数の「近距離通信用のシンボル」が存在する場合には同様の構成となってもよい。
【０２２１】
（実施の形態２）
実施の形態１では、図１７及び図１８に示すように、隣接する２つの「近距離通信用シンボル」間において複数の機器が「送信電力の大きなシンボル」を時間領域で重ならないように送信する場合について説明した。
【０２２２】
これに対して、本実施の形態では、隣接する２つの「近距離通信用シンボル」間において複数の機器のうち何れか１つの機器のみが「送信電力の大きなシンボル」を送信する場合について説明する。
【０２２３】
なお、本実施の形態に係る機器は、実施の形態１に係る機器と基本構成が共通するので、図２、図１２及び図１４を援用して説明する。また、本実施の形態に係る通信システムの一例として、実施の形態１で用いた図１６を援用して説明する。
【０２２４】
一例として、図１９を用いて、端末＃Ｂ（１０４）と近距離用ＡＰ＃１（１０３）とが通信を開始した後の各機器における通信状態について説明する。
【０２２５】
図１９において、図１９（Ａ）は、図１６に示す端末＃Ｂ（１０４）が送信する変調信号のフレーム構成の一例を示し、図１９（Ｂ）は、図１６に示す近距離用ＡＰ＃１（１０３）が送信する変調信号のフレーム構成の一例を示し、図１９（Ｃ）は、図１６に示す端末＃Ｃ（１０６）が送信する変調信号のフレーム構成の一例を示し、図１９（Ｄ）は、図１６に示す近距離用ＡＰ＃２（１０５）が送信する変調信号のフレーム構成の一例を示す。
【０２２６】
図１９（Ａ）〜（Ｄ）において、横軸は時間を示し、縦軸は送信電力を示す。
【０２２７】
また、図１９では、端末＃Ｂ（１０４）が、「近距離通信」用の変調信号及び「長距離通信」用の変調信号の両方を送信できる端末であるものとする（例えば、図３を参照）。
【０２２８】
また、図１９において、端末＃Ｂ（１０４）、近距離用ＡＰ＃１（１０３）、端末＃Ｃ（１０６）、及び、近距離用ＡＰ＃２（１０５）の各々は、同一周波数（周波数帯）を使用して変調信号を送信する。
【０２２９】
図１９（Ａ）に示すように、端末＃Ｂ（１０４）は、時間帯ｔ１で「送信電力の大きなシンボル」１９０１を送信し、時間帯ｔ２で「近距離通信用のシンボル」１９０２を送信する。
【０２３０】
図１９（Ｂ）に示すように、近距離用ＡＰ＃１（１０３）は、時間帯ｔ３で「送信電力の大きなシンボル」１９０３を送信し、時間帯ｔ４で「近距離通信用のシンボル」１９０４を送信する。さらに、近距離用ＡＰ＃１（１０３）は、時間帯ｔ５で「送信電力の大きなシンボル」１９０５を送信し、時間帯ｔ６で「近距離通信用のシンボル」１９０６を送信し、時間帯ｔ７で「送信電力の大きなシンボル」１９０７を送信し、時間帯ｔ８で「近距離通信用のシンボル」１９０８を送信しする。さらに、近距離用ＡＰ＃１（１０３）は、時間帯ｔ９で「送信電力の大きなシンボル」１９０９を送信し、時間帯ｔ１０で「近距離通信用のシンボル」１９１０を送信する。
【０２３１】
図１９（Ｃ）に示すように、端末＃Ｃ（１０６）は、時間帯ｔ８で「近距離通信用のシンボル」１９１１を送信する。
【０２３２】
図１９（Ｄ）に示すように、近距離用ＡＰ＃２（１０５）は、時間帯ｔ１０で「近距離通信用のシンボル」１９１２を送信し、時間帯ｔ１１で「送信電力の大きなシンボル」１９１３を送信し、時間帯ｔ１２で「近距離通信用のシンボル」１９１４を送信し、時間帯ｔ１３で「送信電力の大きなシンボル」１９１５を送信し、時間帯ｔ１４で「近距離通信用のシンボル」１９１６を送信する。
【０２３３】
なお、図１９（Ａ）〜（Ｄ）における「送信電力の大きなシンボル」及び「近距離通信用のシンボル」の関係については、例えば、図６〜図１０及び式（１）〜式（６）等を用いて説明したので、ここではその説明を省略する。
【０２３４】
以下、図１９において、特徴的な点について説明する。
【０２３５】
時間帯ｔ８において、近距離用ＡＰ＃１と端末＃Ｃとが「近距離通信用のシンボル」１９０８，１９１１をそれぞれ送信しており、時間帯ｔ１０において、近距離用ＡＰ＃１と近距離用ＡＰ＃２とが「近距離通信用のシンボル」１９１０，１９１２をそれぞれ送信している。
【０２３６】
すなわち、図１９では、同一時間帯（ｔ８，ｔ１０）において、複数の機器が「近距離通信用のシンボル」を送信している。実施の形態１で説明したように、「近距離通信用のシンボル」が届く空間的な距離を考慮すると、端末＃Ｂ及び近距離用ＡＰ＃１が近距離通信を行っている時間帯において、端末＃Ｃ及び近距離用ＡＰ＃２が当該時間帯に「近距離通信用のシンボル」を送信しても、互いの変調信号が干渉する可能性は低い。
【０２３７】
これにより、実施の形態１と同様、同一周波数（周波数帯）及び同一時間において複数の機器が「近距離通信用シンボル」を同時に送信できるので、システムのデータ伝送効率が向上するという効果を得ることができる。
【０２３８】
次に、図１９における別の特徴的な点について説明する。
【０２３９】
図１９では、同一時間帯に複数の「送信電力の大きなシンボル」が存在しないように制御されている。
【０２４０】
具体的には、図１９では、「近距離通信用のシンボル」が送信される隣接する時間区間の間に、１つの「送信電力の大きなシンボル」を送信可能な１つの時間区間が設けられる。そして、当該１つの時間区間において、「送信電力の大きなシンボル」は、近距離通信を行う通信装置（端末及び近距離用ＡＰ）のうち何れか１つの装置から送信される。
【０２４１】
例えば、図１９において、時間帯ｔ３，ｔ５，ｔ７，ｔ９では、近距離用ＡＰ＃１から送信される「送信電力の大きなシンボル」１９０３，１９０５，１９０７，１９０９のみが存在する。また、図１９において、時間帯ｔ１１，ｔ１３では、近距離用ＡＰ＃２から送信される「送信電力の大きなシンボル」１９１３，１９１５のみが存在する。
【０２４２】
すなわち、図１９に示す時間帯ｔ３，ｔ５，ｔ７，ｔ９，ｔ１１，ｔ１３では、近距離通信を行う複数の機器の何れか１つの機器のみが「送信電力の大きなシンボル」を送信している。こうすることで、複数の「送信電力の大きなシンボル」が互いに干渉することを回避し、「送信電力の大きなシンボル」がより多くの機器で受信できるようになるため、各機器において干渉となる変調信号を送信する可能性を低くすることができる。これにより、システムのデータの伝送効率が向上するという効果を得ることができる。
【０２４３】
より詳細には、「送信電力の大きなシンボル」を送信する目的は、実施の形態１で説明したように、例えば、図１６において、ＡＰ（１０１）、端末＃Ａ（１０２）、近距離用ＡＰ＃１（１０３）、端末＃Ｂ（１０４）、近距離用ＡＰ＃２（１０５）、端末＃Ｃ（１０６）、近距離用ＡＰ＃３（１０７）、端末＃Ｄ（１０８）に対して、各機器が「近距離通信」を行っているか、「長距離通信」を行っているかを通知することである。
【０２４４】
すなわち、図１９に示す時間帯ｔ１〜ｔ１４の時間帯において「近距離通信」が行われていることが、ＡＰ（１０１）及び端末＃Ａ（１０２）に通知されればよい。
【０２４５】
よって、或る時間帯において「近距離通信」が行われていること通知するための「送信電力の大きなシンボル」は、図１９に示すように、「近距離通信」を行っている複数の機器のうち、少なくとも１台の機器から送信されればよい。
【０２４６】
例えば、図１９では、まず、「近距離通信」及び「長距離通信」の何れの通信も行われていない状態において、端末＃Ｂ（１０４）が近距離通信を行う。つまり、端末＃Ｂ（１０４）は、通信相手である近距離用ＡＰ＃１（１０３）に対して「送信電力の大きなシンボル」１９０１及び「近距離通信用のシンボル」１９０２を送信する。この場合、ＡＰ（１０１）及び端末＃Ａ（１０２）は、時間帯ｔ１において「送信電力の大きなシンボル」１９０１を検出することにより、長距離通信用シンボルの送信を停止する。このようにして、時間帯ｔ１及びｔ２の時間区間は、「近距離通信用」の区間として確保（予約）される。
【０２４７】
次いで、近距離用ＡＰ＃１（１０３）は、「送信電力の大きなシンボル」１９０１及び「近距離通信用のシンボル」１９０２を受信した後、時間帯ｔ３で「送信電力の大きなシンボル」１９０３を送信し、時間帯ｔ４で「近距離通信用のシンボル」１９０４を送信する。さらに、近距離用ＡＰ＃１（１０３）は、時間帯ｔ５で「送信電力の大きなシンボル」１９０５を送信し、時間帯ｔ６で「近距離通信用のシンボル」１９０６を送信し、時間帯ｔ７で「送信電力の大きなシンボル」１９０７を送信し、時間帯ｔ８で「近距離通信用のシンボル」１９０８を送信する。さらに、近距離用ＡＰ＃１（１０３）は、時間帯ｔ９で「送信電力の大きなシンボル」１９０９を送信し、時間帯ｔ１０で「近距離通信用のシンボル」１９１０を送信する。
【０２４８】
この場合、ＡＰ（１０１）及び端末＃Ａ（１０２）は、時間帯ｔ３，ｔ５，ｔ７，ｔ９において「送信電力の大きなシンボル」１９０３，１９０５，１９０７，１９０９を検出することにより、長距離通信用シンボルの送信を停止する。このようにして、時間ｔ３〜ｔ１０の時間区間は、「近距離通信用」の区間として確保（予約）される。
【０２４９】
ここで、端末＃Ｃ（１０６）において時間帯ｔ８で「近距離通信用のシンボル」１９１１を送信する必要がある状態になったものとする。
【０２５０】
このとき、近距離用ＡＰ＃１（１０３）が時間帯ｔ３〜ｔ１０の区間において「送信電力の大きなシンボル」を送信しているので、端末＃Ｃ（１０６）は、時間帯ｔ７では「送信電力の大きなシンボル」を送信しない。
【０２５１】
また、時間帯ｔ３〜ｔ１０が「近距離通信」用のデータ送信区間（近距離用ＡＰ＃１（１０３）が「近距離通信」用データを送信する区間）として既に割り当てられているので、端末＃Ｃ（１０６）は、時間帯ｔ８において、「近距離通信用のシンボル」１９１１を送信する。
【０２５２】
つまり、何れかの機器（例えば「機器＃１」とする）が、「近距離通信用のシンボル」の送信のために、「送信電力の大きなシンボル」を送信することにより、時間区間＃Ａの予約を行ったとする。このとき、他の機器（例えば、「機器＃２」とする）は、機器＃１が「送信電力の大きなシンボル」を送信していることを認識することになる。なお、この際の「送信電力の大きなシンボル」の構成例については後述する。その後、時間区間＃Ａ内で、機器＃２が「近距離通信用のシンボル」を送信する必要がある場合、この機器＃２は、「送信電力の大きなシンボル」を送信せずに、「近距離通信用のシンボル」を送信することになる。
【０２５３】
同様にして、図１９では、近距離通信用ＡＰ＃２（１０５）は、「近距離通信用のシンボル」１９１１を受信し、時間帯ｔ１０で「近距離通信用のシンボル」１９１２を送信し、時間ｔ１１で「送信電力の大きなシンボル」１９１３を送信し、時間ｔ１２で「近距離通信用のシンボル」１９１４を送信し、時間帯ｔ１３で「送信電力の大きなシンボル」１９１５を送信し、時間帯ｔ１４で「近距離通信用のシンボル」１９１６を送信する。
【０２５４】
このとき、近距離用ＡＰ＃１（１０３）が時間帯ｔ３〜ｔ１０の区間において「送信電力の大きなシンボル」を送信しているので、近距離通信用ＡＰ＃２（１０５）は、時間帯ｔ９では「送信電力の大きなシンボル」を送信しない。
【０２５５】
また、時間帯ｔ３〜ｔ１０が「近距離通信」用のデータ送信区間（近距離用ＡＰ＃１（１０３）が「近距離通信」用データを送信する区間）として既に割り当てられているので、近距離通信用ＡＰ＃２（１０５）は、時間帯ｔ１０において、「近距離通信用のシンボル」１９１２を送信する。
【０２５６】
また、図１９に示す時間帯ｔ１１〜ｔ１４では、近距離用ＡＰ＃１（１０３）及び端末＃Ｂ（１０４）は変調信号を送信しておらず、近距離用ＡＰ＃２（１０５）以外の機器が近距離通信用のシンボルを送信することがないものとする。この場合、近距離用ＡＰ＃２（１０５）は、時間帯ｔ１１で、「送信電力の大きなシンボル」１９１３を送信する。この場合、ＡＰ（１０１）及び端末＃Ａ（１０２）は、時間帯ｔ１１において「送信電力の大きなシンボル」１９０１を検出することにより、長距離通信用シンボルの送信を停止する。このようにして、時間帯ｔ１１及びｔ１２の時間区間は、「近距離通信用」の区間として確保（予約）される。
【０２５７】
つまり、近距離通信用のシンボルを送信予定の機器は、他の機器から送信された「送信電力の大きなシンボル」の有無を判断し、他の機器からの「送信電力の大きなシンボル」が無い場合には「送信電力の大きなシンボル」を送信すると判断する。
【０２５８】
図１９では、近距離用ＡＰ＃２（１０５）は、時間帯ｔ１２で「近距離通信用のシンボル」１９１４を送信し、その後、時間帯ｔ１３で「送信電力の大きなシンボル」１９１５、時間帯ｔ１４で「近距離通信用のシンボル」１９１６を送信する。
【０２５９】
なお、図１９に示す各機器の動作を実現するために、例えば、近距離用ＡＰ＃１（１０３）が時間帯ｔ９で送信する「送信電力の大きなシンボル」１９０９が、近距離用ＡＰ＃１（１０３）が送信する一連の「近距離通信用のシンボル」（１９０４、１９０６、１９０８、１９１０）を送信するにあたって、送信しなければならない最後の「送信電力の大きなシンボル」であることを、他の機器に認識してもらう必要がある。
【０２６０】
そこで、例えば、「送信電力の大きなシンボル」１９０９は、「一連の『近距離通信用のシンボル』を送信するにあたって、送信しなければならない最後の『送信電力の大きなシンボル』」であることを示す情報を含んでもよい。
【０２６１】
また、別の方法として、「送信電力の大きなシンボル」は、送信するフレーム数を示す情報、及び、現在送信しているフレームの番号を示す情報を含んでもよい。例えば、図１９（Ｂ）に示す近距離用ＡＰ＃１が送信するシンボルについて一例として説明する。
【０２６２】
ここでは、図１９（Ｂ）において、「送信電力の大きなシンボル」１９０３及び「近距離通信用のシンボル」１９０４が送信される区間を第１フレームとし、「送信電力の大きなシンボル」１９０５及び「近距離通信用のシンボル」１９０６が送信される区間を第２フレームとし、「送信電力の大きなシンボル」１９０７及び「近距離通信用のシンボル」１９０８が送信される区間を第３フレームとし、「送信電力の大きなシンボル」１９０９及び「近距離通信用のシンボル」１９１０が送信される区間を第４フレームとする。
【０２６３】
この場合、「送信電力の大きなシンボル」１９０３は、送信するフレーム数が「４」であることを示す情報、及び、送信しているフレームの番号が「１」であることを示す情報を含む。また、「送信電力の大きなシンボル」１９０５は、送信するフレーム数が「４」であることを示す情報、及び、送信しているフレームの番号が「２」であることを示す情報を含む。同様に、「送信電力の大きなシンボル」１９０７は、送信するフレーム数が「４」であることを示す情報、及び、送信しているフレームの番号が「３」であることを示す情報を含み、「送信電力の大きなシンボル」１９０９は、送信するフレーム数が「４」であることを示す情報、及び、送信しているフレームの番号が「４」であることを示す情報を含む。
【０２６４】
他の機器は、このような送信するフレーム数及びフレーム番号を示す情報を含む「送信電力の大きなシンボル」を受信する。
【０２６５】
これにより、例えば、端末＃Ｃ（１０６）は、時間帯ｔ３又はｔ５において近距離用ＡＰ＃１（１０３）が送信した「送信電力の大きなシンボル」を受信し、当該「送信電力の大きなシンボル」に含まれる情報を参照することにより、時間帯ｔ３からｔ１０まで近距離通信用のシンボルが近距離用ＡＰ＃１（１０３）から送信されることを認識する。したがって、端末＃Ｃ（１０６）は、時間帯ｔ７では、「送信電力の大きなシンボル」を送信せずに、時間帯ｔ８において「近距離通信用シンボル」１９１１を送信する。
【０２６６】
同様に、近距離用ＡＰ＃２（１０５）は、時間帯ｔ３，ｔ５又はｔ７において近距離用ＡＰ＃１（１０３）が送信した「送信電力の大きなシンボル」を受信し、当該「送信電力の大きなシンボル」に含まれる情報を参照することにより、時間帯ｔ３からｔ１０まで近距離通信用のシンボルが近距離用ＡＰ＃１（１０３）から送信されることを認識する。したがって、近距離用ＡＰ＃２（１０５）は、時間ｔ９では、「送信電力の大きなシンボル」を送信せずに、時間帯ｔ１０において「近距離通信用シンボル」１９１２を送信する。また、近距離用ＡＰ＃２（１０５）は、時間帯ｔ１１で「送信電力の大きなシンボル」を送信し、時間帯ｔ１２で「近距離通信用のシンボル」１９１４を送信する。同様に、近距離用ＡＰ＃２（１０５）は、時間帯ｔ１３で「送信電力の大きなシンボル」１９１５を送信し、時間帯ｔ１４で「近距離通信用のシンボル」１９１６を送信する。
【０２６７】
このようにして、本実施の形態では、各フレームにおいて「近距離通信」を行う複数の機器のうち何れか１つの機器のみが「送信電力の大きなシンボル」を送信する。こうすることで、各フレームでは、「送信電力の大きなシンボル」の送信のために設ける時間区間を最小限に抑えることができる。
【０２６８】
例えば、実施の形態１（例えば、図１７及び図１８を参照）では、隣接する２つの「近距離通信用シンボル」の間に２つの「送信電力の大きなシンボル」を送信するための時間区間が設けられている。これに対して、本実施の形態（例えば、図１９を参照）では、２つの「近距離通信用シンボル」の間に１つの「送信電力の大きなシンボル」を送信するための時間区間が設けられればよい。
【０２６９】
これにより、本実施の形態では、実施の形態１と比較して「近距離通信用シンボル」に割当可能なリソースをより多く確保することができるので、スループットを増加させるという効果が得られる。
【０２７０】
図２０は、本実施の形態に係る通信方法について、図１９とは異なる例の説明に供する図である。なお、図２０において、図１９と同一動作には同一符号を付し、その説明を省略する。
【０２７１】
具体的には、図１９では、時間帯ｔ１３、ｔ１４において、近距離用ＡＰ＃１（１０３）が「送信電力の大きなシンボル」１９１５及び「近距離通信用のシンボル」１９１６を送信するのに対して、図２０では、時間帯ｔ１３、ｔ１４において、端末＃Ｃ（１０６）が「送信電力の大きなシンボル」２０１３及び「近距離通信用のシンボル」２０１４を送信する点のみが異なる。
【０２７２】
図２０でも、図１９と同様、時間帯ｔ１，ｔ３，ｔ５，ｔ７，ｔ９，ｔ１１，ｔ１３では、近距離通信を行う複数の機器の何れか１つの機器のみが「送信電力の大きなシンボル」を送信している。こうすることで、複数の「送信電力の大きなシンボル」が互いに干渉することを回避し、「送信電力の大きなシンボル」がより多くの機器で受信できるようになるため、各機器において干渉となる変調信号を送信する可能性を低くすることができる。これにより、システムのデータの伝送効率が向上するという効果を得ることができる。また、図１９と同様、「送信電力の大きなシンボル」を送信するための時間区間を最小限にし、「近距離通信用シンボル」に割当可能なリソースをより多く確保することができるので、スループットを増加させるという効果が得られる。
【０２７３】
図２１は、本実施の形態に係る通信方法について、図１９及び図２０とは異なる例の説明に供する図である。なお、図２１において、図１９と同一動作には同一符号を付し、その説明を省略する。
【０２７４】
具体的には、図１９では、端末＃Ｂ（１０４）が、「近距離通信」用の変調信号及び「長距離通信」用の変調信号の両方を送信できる端末であったのに対して、図２１では、端末＃Ｂ（１０４）は「近距離通信」用の変調信号のみを送信できる端末（例えば図４を参照）である。
【０２７５】
すなわち、図２１（Ａ）に示すように、「近距離通信」及び「長距離通信」の何れの通信も行われていない状態において、端末＃Ｂは、時間帯ｔ１で「送信電力の大きなシンボル」を送信せずに、時間ｔ２において「近距離通信用シンボル」１９０２のみを送信する。
【０２７６】
図２１では、時間帯ｔ３，ｔ５，ｔ７，ｔ９，ｔ１１，ｔ１３において、近距離通信を行う複数の機器の何れか１つの機器のみが「送信電力の大きなシンボル」を送信している。こうすることで、複数の「送信電力の大きなシンボル」が互いに干渉することを回避し、「送信電力の大きなシンボル」がより多くの機器で受信できるようになるため、各機器において干渉となる変調信号を送信する可能性を低くすることができる。これにより、システムのデータの伝送効率が向上するという効果を得ることができる。また、図１９と同様、「送信電力の大きなシンボル」を送信するための時間区間を最小限にし、「近距離通信用シンボル」に割当可能なリソースをより多く確保することができるので、スループットを増加させるという効果が得られる。
【０２７７】
図２２は、本実施の形態に係る通信方法について、図１９〜図２１とは異なる例の説明に供する図である。なお、図２２において、図１９と同一動作には同一符号を付し、その説明を省略する。
【０２７８】
図１９では、端末＃Ｂ（１０４）及び端末＃Ｃ（１０６）が、「近距離通信」用の変調信号及び「長距離通信」用の変調信号の両方を送信できる端末であったのに対して、図２２では、端末＃Ｂ（１０４）及び端末＃Ｃ（１０６）は、「近距離通信」用の変調信号のみを送信できる端末（例えば図４を参照）である。
【０２７９】
また、図１９では、近距離用ＡＰ＃１（１０３）が時間帯ｔ３〜ｔ１０まで変調信号を送信するのに対して、図２２では、近距離用ＡＰ＃１（１０３）が時間帯ｔ３〜ｔ８まで変調信号を送信する点が異なる。
【０２８０】
更に、図１９では、時間帯ｔ１１、ｔ１２において、近距離用ＡＰ＃１（１０５）が「送信電力の大きなシンボル」１９１３及び「近距離通信用のシンボル」１９１４を送信するのに対して、図２２では、時間帯ｔ１１において、端末＃Ｃ（１０６）が「近距離通信用のシンボル」を送信する点が異なる。
【０２８１】
具体的には、図２２に示す時間帯ｔ９以降において、図２２（Ｃ）に示すように、端末＃Ｃ（１０６）は、時間帯ｔ１１で「近距離通信用のシンボル」２２１１を送信する。また、図１９（Ｄ）に示すように、近距離用ＡＰ＃２（１０５）は、時間帯ｔ９で「送信電力の大きなシンボル」２２０９を送信し、時間帯ｔ１０で「近距離通信用のシンボル」２２１０を送信し、時間帯ｔ１２で「送信電力の大きなシンボル」２２１２を送信し、時間帯ｔ１３で「近距離通信用のシンボル」２２１３を送信する。
【０２８２】
ここで、図２２（Ｃ）に示すように、時間帯ｔ１１の直前のタイミングにおいて端末＃Ｃ（１０６）が「送信電力の大きなシンボル」を送信しないのは、端末＃Ｃが長距離通信に対応していないためである。
【０２８３】
図２２では、時間帯ｔ３，ｔ５，ｔ７，ｔ９，ｔ１２において複数の近距離用ＡＰの何れか１つの機器のみが「送信電力の大きなシンボル」を送信している。こうすることで、複数の「送信電力の大きなシンボル」が互いに干渉することを回避し、「送信電力の大きなシンボル」がより多くの機器で受信できるようになるため、各機器において干渉となる変調信号を送信する可能性を低くすることができる。これにより、システムのデータの伝送効率が向上するという効果を得ることができる。また、「送信電力の大きなシンボル」を送信するための時間区間を最小限にし、「近距離通信用シンボル」に割当可能なリソースをより多く確保することができるので、スループットを増加させるという効果が得られる。
【０２８４】
なお、複数の機器が「近距離通信用のシンボル」を送信する例は、図１９〜図２２に限定されるものではなく、２つの近距離用ＡＰが同一時間帯に「近距離通信用のシンボル」を送信してもよく、２つの端末が同一時間に「近距離通信用のシンボル」を送信してもよく、近距離用ＡＰと端末とが同一時間帯に「近距離通信用のシンボル」を送信してもよい。また、同一時間帯に「近距離通信用のシンボル」を送信する機器は、３つ以上であってもよい。また、上述したように、各機器は「送信電力の大きなシンボル」を受信・復調し、判断を行うことにより、各機器が「近距離通信用のシンボル」を送信するか否かを判断する。
【０２８５】
また、図１９〜図２２に示す時間帯ｔ８において、「近距離通信用のシンボル」１９０８，１９１１が存在しているが、例えば、「近距離通信用のシンボル」１９０８は時間帯ｔ８に渡って存在し、時間帯ｔ８の範囲内に、「近距離通信用のシンボル」１９０８の時間間隔より短い時間間隔の「近距離通信用のシンボル」１９１１が存在するようにしてもよい。つまり、「近距離通信用のシンボル」１９０８が占める時間リソースと、「近距離通信用のシンボル」１９１１が占める時間リソースとは同一でなくてもよい。換言すると、「近距離通信用のシンボル」１９０８が使用する時間間隔と、「近距離通信用のシンボル」１９１１が使用する時間間隔とは同一でなくてもよい。この点について、同一時間に複数の「近距離通信用のシンボル」が存在する場合には同様の構成となってもよい。
【０２８６】
（実施の形態３）
本実施の形態に係る機器は、実施の形態１に係る機器と基本構成が共通するので、図２、図１２及び図１４を援用して説明する。また、本実施の形態に係る通信システムの一例として、実施の形態１で用いた図１６を援用して説明する。
【０２８７】
図２３は、近距離通信に対応する端末＃Ｂ（１０４）が送信する変調信号のフレーム構成の一例を示す。図２３において、横軸は時間を示し、縦軸は送信電力を示す。
【０２８８】
図２３において、シンボル２３０１、２３０２、２３０３、２３０４は、近距離通信用のシンボルである。つまり、端末＃Ｂ（１０４）は、シンボル２３０１〜２３０４に相当する時間区間に渡って「近距離通信用のシンボル」を送信する。
【０２８９】
ここで、図２３に示す時間Ｔの時点で、端末＃Ａ（１０２）又はＡＰ（１０１）が「長距離通信用のシンボル」を送信する必要が発生したとする。このとき、端末＃Ａ（１０２）及びＡＰ（１０１）が、図２３に示すように時間Ｕの間、電波状況を監視し、「送信電力の大きなシンボル」が存在しないので、「長距離通信用のシンボル」を送信したとする。
【０２９０】
すると、「長距離通信用のシンボル」の干渉により、近距離用ＡＰ＃１（１０３）では、「近距離通信用のシンボル」２３０３のデータの受信品質が劣化する可能性が高い。受信品質の劣化を避けるためには、例えば、端末＃Ａ（１０２）及びＡＰ（１０１）が電波状況の監視する時間Ｕを長く設定するという方法がある。しかし、この方法では、時間Ｕの間に近距離通信が行われていない場合には時間リソースを効率的に活用していないことになる。
【０２９１】
そこで、本実施の形態では、「長距離通信用のシンボル」による近距離通信の受信品質劣化、及び、リソース利用効率の低減を回避する方法について説明する。
【０２９２】
まず、端末＃Ｂ（１０４）が「近距離通信」のみに対応する場合（つまり、長距離通信に対応していない場合）の通信方法について図２４を用いて説明する。
【０２９３】
図２４において、図２４（Ａ）は、端末＃Ｂ（１０４）が送信する変調信号のフレーム構成の一例を示し、図２４（Ｂ）は、端末＃Ｂ（１０４）の通信相手である近距離通信用ＡＰ＃１（１０３）が送信する変調信号のフレーム構成の一例を示す。図２４（Ａ）及び図２４（Ｂ）において、横軸は時間を示し、縦軸は送信電力を示す。なお、図２４において、図２３と同様の構成については、同一番号を付している。
【０２９４】
まず、時間帯ｔ１において、端末＃Ｂ（１０４）は「近距離通信用のシンボル」２３０１を送信する。そして、近距離用ＡＰ＃１（１０３）は、「近距離通信用のシンボル」２３０１を受信し、近距離通信用のデータ（情報）を得るとともに、端末＃Ｂ（１０４）が時間帯ｔ３以降も「近距離通信用のシンボル」を送信することを認識する。
【０２９５】
そこで、近距離通信用ＡＰ＃１（１０３）は、「近距離通信用のシンボル」２３０１及び「近距離通信用のシンボル」２３０２が送信される時間区間の間の時間帯ｔ２において、「送信電力の大きなシンボル」２４０２を送信する。
【０２９６】
同様に、時間ｔ３において、端末＃Ｂ（１０４）は「近距離通信用のシンボル」２３０２を送信する。そして、近距離用ＡＰ＃１（１０３）は、「近距離通信用のシンボル」２３０２を受信し、近距離通信用のデータ（情報）を得るとともに、端末＃Ｂ（１０４）が時間ｔ５以降も「近距離通信用のシンボル」を送信することを認識する。
【０２９７】
そこで、近距離通信用ＡＰ＃１（１０３）は、「近距離通信用のシンボル」２３０２及び「近距離通信用のシンボル」２３０３が送信される時間区間の間の時帯間ｔ４において、「送信電力の大きなシンボル」２４０３を送信する。
【０２９８】
また、時間帯ｔ５において、端末＃Ｂ（１０４）は、「近距離通信用のシンボル」２３０３を送信する。そして、近距離用ＡＰ＃１（１０３）は、「近距離通信用のシンボル」２３０３を受信し、近距離通信用のデータ（情報）を得るとともに、端末＃Ｂ（１０４）が時間帯ｔ７以降も「近距離通信用のシンボル」を送信することを認識する。
【０２９９】
そこで、近距離通信用ＡＰ＃１（１０３）は、「近距離通信用のシンボル」２３０３及び「近距離通信用のシンボル」２３０４が送信される時間区間の間の時間帯ｔ６において、「送信電力の大きなシンボル」２４０４を送信する。
【０３００】
なお、図２４における「送信電力の大きなシンボル」及び「近距離通信用のシンボル」については、実施の形態１において、例えば、図６〜図１０及び式（１）〜式（６）等を用いて説明したので、ここではその説明を省略する。
【０３０１】
以上のように、近距離通信を行う端末から送信されない「送信電力の大きなシンボル」を通信相手である近距離用ＡＰが代わりに送信する。つまり、近距離通信のみに対応する端末が「近距離通信用のシンボル」を送信する場合、「送信電力の大きなシンボル」は、当該端末の通信相手である近距離用ＡＰから送信される。
【０３０２】
こうすることで、端末が一連の「近距離通信用のシンボル」を続けて送信し、「近距離通信用のシンボル」が占有する時間が長くなっても、端末が送信する「近距離通信用のシンボル」と「近距離通信用のシンボル」との間に、近距離用ＡＰが送信した「送信電力の大きなシンボル」が存在することになる。
【０３０３】
端末から送信される「近距離通信用のシンボル」が占有する時間区間において、長距離通信を行う機器（ＡＰ（１０１）及び端末＃Ａ（１０２））は、近距離用ＡＰから送信される「送信電力の大きなシンボル」を検出することにより、「長距離通信用のシンボル」を送信しない。よって、近距離通信を行う機器では、「長距離通信用のシンボル」によるデータの受信品質劣化を回避することができる。
【０３０４】
更に、長距離通信を行う機器は、「近距離通信用のシンボル」の各々が送信される時間区間の間で送信される「送信電力の大きなシンボル」を受信することにより、「近距離通信用のシンボル」が送信されることを監視できる。よって、長距離通信を行う機器が電波状況を監視する時間Ｕ（例えば、図２３を参照）を長く設定する必要は無いので、時間リソースの利用効率の低減を回避できる。
【０３０５】
なお、図２４において、例えば、端末＃Ｂ（１０４）が送信する「近距離通信用のシンボル」２３０１には、端末＃Ｂ（１０４）が次に「近距離通信用のシンボル」２３０２を送信することを近距離用ＡＰ＃１（１０３）に通知するための情報を示す近距離通信用の制御シンボル（例えば、図３参照）を含める必要がある。
【０３０６】
したがって、端末＃Ｂ（１０４）は、近距離通信用の制御シンボルを用いて、次のフレーム以降も「近距離通信用のシンボル」を送信するか否かを示す情報を伝送することになる。このとき、端末＃Ｂ（１０４）は、例えば、次のフレーム以降に送信する「近距離通信用のシンボル」のフレーム数を示す情報を送信してもよく、次のフレームで「近距離通信用のシンボル」を送信するか否かを示す情報を送信してもよい。
【０３０７】
次に、端末＃Ｂ（１０４）が近距離通信及び長距離通信の両方に対応している場合の通信方法について図２５を用いて説明する。
【０３０８】
この場合でも、端末＃Ｂ（１０４）が「近距離通信用のシンボル」の送信のみに対応している端末と同様の課題が発生する。具体的には、「送信電力の大きなシンボル」及び「近距離通信用のシンボル」の両方の送信に対応している端末において、「近距離通信用のシンボル」の時間区間が十分に長い場合には、図２３と同様に、「長距離通信用のシンボル」による近距離通信の受信品質劣化、及び、リソース利用効率の低減が起きる。
【０３０９】
図２５は、端末＃Ｂ（１０４）が送信する１フレームの構成例を示す。図２５において、横軸は時間を示し、縦軸は送信電力を示す。
【０３１０】
図２５に示すシンボル２５０１、２５０２、２５０３、２５０４は、「近距離通信用のシンボル」である。つまり、端末＃Ｂ（１０４）は、シンボル２５０１〜２５０４に相当する比較的長い時間区間に渡って「近距離通信用のシンボル」を送信する。
【０３１１】
図２５に示すシンボル２５０５、２５０６、２５０７、２５０８は、「送信電力の大きなシンボル」である。このとき、少なくとも「送信電力の大きなシンボル」２５０５は、例えば、図３に示す「送信電力の大きなシンボル」と構成が同様であるものとする。
【０３１２】
また、「送信電力の大きなシンボル」２５０６、２５０７、２５０８は、「近距離通信用のシンボル」が送信されるフレームの途中に送信されるシンボルであり、「送信電力の大きなシンボル」２５０５と同様の構成であってもよく、異なる構成であってもよい。例えば、「送信電力の大きなシンボル」２５０６、２５０７、２５０８が「送信電力の大きなシンボル」２５０５と異なる構成の場合、「送信電力の大きなシンボル」２５０６、２５０７、２５０８には、「同期シンボル」及び／又は「ＡＧＣ用シンボル」が存在しなくてもよい。
【０３１３】
なお、図２５における「送信電力の大きなシンボル」及び「近距離通信用のシンボル」については、実施の形態１において、例えば、図６〜図１０及び式（１）〜式（６）等を用いて説明したので、ここではその説明を省略する。
【０３１４】
このように、端末＃Ｂ（１０４）が「近距離通信用のシンボル」を比較的長い区間で送信し、「近距離通信用のシンボル」が占有する時間が長くなった場合でも、「近距離通信用のシンボル」と「近距離通信用のシンボル」との間に「送信電力の大きなシンボル」が存在することになる。
【０３１５】
このため、端末から送信される「近距離通信用のシンボル」が占有する時間区間において、長距離通信を行う機器（ＡＰ（１０１）及び端末＃Ａ（１０２））は、端末から送信される「送信電力の大きなシンボル」を検出することにより、「長距離通信用のシンボル」を送信しない。よって、近距離通信を行う機器では、「長距離通信用のシンボル」によるデータの受信品質劣化を回避することができる。
【０３１６】
更に、長距離通信を行う機器は、「近距離通信用のシンボル」の各々が送信される時間区間の間で送信される「送信電力の大きなシンボル」を受信することにより、「近距離通信用のシンボル」が送信されることを監視できる。よって、長距離通信を行う機器が電波状況を監視する時間Ｕ（例えば、図２３を参照）を長く設定する必要は無いので、時間リソースの利用効率の低減を回避できる。
【０３１７】
次に、近距離通信を行う機器に対して図２４に示す通信方法が適用される場合の各機器の動作例１、２について説明する。
【０３１８】
＜動作例１＞
一例として、図２６を用いて、端末＃Ｂ（１０４）と近距離用ＡＰ＃１（１０３）とが通信を開始した後の各機器における通信状態について説明する。
【０３１９】
図２６において、図２６（Ａ）は、図１６に示す端末＃Ｂ（１０４）が送信する変調信号のフレーム構成の一例を示し、図２６（Ｂ）は、図１６に示す近距離用ＡＰ＃１（１０３）が送信する変調信号のフレーム構成の一例を示し、図２６（Ｃ）は、図１６に示す端末＃Ｃ（１０６）が送信する変調信号のフレーム構成の一例を示し、図２６（Ｄ）は、図１６に示す近距離用ＡＰ＃２（１０５）が送信する変調信号のフレーム構成の一例を示す。
【０３２０】
図２６（Ａ）〜（Ｄ）において、横軸は時間を示し、縦軸は送信電力を示す。
【０３２１】
また、図２６において、端末＃Ｂ（１０４）、近距離用ＡＰ＃１（１０３）、端末＃Ｃ（１０６）、及び、近距離用ＡＰ＃２（１０５）の各々は、同一周波数（周波数帯）を使用して変調信号を送信する。
【０３２２】
図２６（Ａ）に示すように、端末＃Ｂ（１０４）は、時間帯ｔ２で「近距離通信用のシンボル」２６０２を送信する。
【０３２３】
図２６（Ｂ）に示すように、近距離用ＡＰ＃１（１０３）は、時間帯ｔ３で「送信電力の大きなシンボル」２６０３を送信し、時間帯ｔ４で「近距離通信用のシンボル」２６０４を送信し、時間帯ｔ５で「送信電力の大きなシンボル」２６０５を送信し、時間帯ｔ７で「近距離通信用のシンボル」２６０６を送信し、時間帯ｔ８で「送信電力の大きなシンボル」２６０７を送信し、時間帯ｔ１０で「近距離通信用のシンボル」２６０８を送信し、時間帯ｔ１１で「送信電力の大きなシンボル」２６０９を送信し、時間帯ｔ１３で「近距離通信用のシンボル」２６１０を送信する。
【０３２４】
このように、近距離用ＡＰ＃１は、通信相手である端末＃Ｂが「送信電力の大きなシンボル」を送信していないことを認識すると、「送信電力の大きなシンボル」を送信する。つまり、近距離用ＡＰ＃１は、端末＃Ｂが送信した「近距離通信用のシンボル」を受信し、自機が「送信電力の大きなシンボル」及び「近距離通信用のシンボル」を送信すると判断する。
【０３２５】
図２６（Ｃ）に示すように、端末＃Ｃ（１０６）は、時間帯ｔ７で「近距離通信用のシンボル」２６１２を送信し、時間帯ｔ１０で「近距離通信用のシンボル」２６１３を送信し、時間帯ｔ１３で「近距離通信用のシンボル」２６１４を送信する。
【０３２６】
図２６（Ｄ）に示すように、近距離用ＡＰ＃２（１０５）は、時間帯ｔ９で「送信電力の大きなシンボル」２６１５を送信し、時間帯ｔ１２で「送信電力の大きなシンボル」２６１６を送信する。
【０３２７】
このように、近距離用ＡＰ＃２は、通信相手である端末＃Ｃが「送信電力の大きなシンボル」を送信していることを認識すると、「送信電力の大きなシンボル」を送信する。つまり、近距離用ＡＰ＃２は、端末＃Ｃが送信した「近距離通信用のシンボル」を受信し、自機が「送信電力の大きなシンボル」を送信すると判断する。
【０３２８】
すなわち、図２６に示す近距離用ＡＰ＃１及び近距離用ＡＰ＃２の各々は、近距離通信を継続すると判断した場合、「送信電力の大きなシンボル」を送信する。
【０３２９】
なお、図２６（Ａ）〜（Ｄ）における「送信電力の大きなシンボル」及び「近距離通信用のシンボル」については、例えば、実施の形態１において、図６〜図１０及び式（１）〜式（６）等を用いて説明したので、ここではその説明を省略する。
【０３３０】
以下、図２６において、特徴的な点について説明する。
【０３３１】
時間ｔ７において、近距離用ＡＰ＃１と端末＃Ｃとが「近距離通信用のシンボル」２６０６，２６１２をそれぞれ送信しており、時間帯ｔ１０において、近距離用ＡＰ＃１と端末＃Ｃとが「近距離通信用のシンボル」２６０８，２６１３をそれぞれ送信しており、時間帯ｔ１３において、近距離用ＡＰ＃１と端末＃Ｃとが「近距離通信用のシンボル」２６１０，２６１４をそれぞれ送信している。
【０３３２】
すなわち、図２６では、実施の形態１（例えば、図１７を参照）と同様、同一時間帯（ｔ７，ｔ１０，ｔ１３）において、複数の機器が「近距離通信用のシンボル」を送信している。実施の形態１で説明したように、「近距離通信用のシンボル」が届く空間的な距離を考慮すると、端末＃Ｂ及び近距離用ＡＰ＃１が近距離通信を行っている時間帯において、端末＃Ｃが当該時間帯に「近距離通信用のシンボル」を送信しても、互いの変調信号が干渉する可能性は低い。
【０３３３】
これにより、同一周波数（周波数帯）及び同一時間帯において複数の機器が「近距離通信用シンボル」を同時に送信できるので、システムのデータ伝送効率が向上するという効果を得ることができる。
【０３３４】
次に、図２６における別の特徴的な点について説明する。
【０３３５】
図２６では、実施の形態１（例えば、図１７を参照）と同様、同一時間帯に複数の「送信電力の大きなシンボル」が存在しないように制御されている。
【０３３６】
例えば、図２６において、「近距離通信用のシンボル」２６０６と「近距離通信用のシンボル」２６０８との間には、２つ以上の「近距離通信用のシンボル」を時分割できる時間間隔（時間帯ｔ８，ｔ９）が存在している。換言すると、「近距離通信用のシンボル」２６０６と「近距離通信用のシンボル」２６０８との間には、時間領域において重ならずに、２つ以上の「送信電力の大きなシンボル」が配置される時間間隔が存在している。例えば、「近距離通信用のシンボル」２６０６と「近距離通信用のシンボル」２６０８との間は、２つの「送信電力の大きなシンボル」を送信できるようなフレーム構成となっている。
【０３３７】
これにより、「近距離通信用のシンボル」２６０６と「近距離通信用のシンボル」２６０８との間では、２つ以上の機器が「送信電力の大きなシンボル」を送信することができる。例えば、図２６では、「近距離通信用のシンボル」２６０６と「近距離通信用のシンボル」２６０８との間において、時間ｔ８では近距離用ＡＰ＃１が「送信電力の大きなシンボル」２６０７を送信し、時間ｔ９では近距離用ＡＰ＃２が「送信電力の大きなシンボル」２６１５を送信している。つまり、近距離用ＡＰ＃１と近距離用ＡＰ＃２とは「送信電力の大きなシンボル」を干渉させることなく送信している。
【０３３８】
図２６に示すように各機器が「送信電力の大きなシンボル」を時間領域において重ならずに送信することで、「送信電力の大きなシンボル」がより多くの機器で受信できるようになるため、各機器において干渉となる変調信号を送信する可能性を低くすることができる。これにより、システムのデータの伝送効率が向上するという効果を得ることができる。
【０３３９】
また、図２６では、近距離通信を行う端末から送信されない「送信電力の大きなシンボル」を通信相手である近距離用ＡＰが送信する。こうすることで、端末又は近距離用ＡＰが一連の「近距離通信用のシンボル」を続けて送信し、「近距離通信用のシンボル」が占有する時間が長くなっても、「近距離通信用のシンボル」と「近距離通信用のシンボル」との間に、近距離用ＡＰが送信した「送信電力の大きなシンボル」が存在することになる。
【０３４０】
例えば、端末＃Ｂ（１０４）が図２６（Ａ）に示すように時間帯ｔ２で「近距離通信用のシンボル」２６０２を送信し、近距離用ＡＰ＃１が図２６（Ｂ）に示すように時間帯ｔ４，ｔ７，ｔ１０，ｔ１３で「近距離通信用のシンボル」２６０４，２６０６，２６０８，２６１０を送信している。そこで、近距離用ＡＰ＃１は、図２６（Ｂ）に示すように、時間帯ｔ２，ｔ４，ｔ７，ｔ１０，ｔ１３において「近距離通信用のシンボル」が送信されていることを他の機器に通知するために、時間帯ｔ３，ｔ５，ｔ８，ｔ１１で「送信電力の大きなシンボル」２６０３，２６０５，２６０７，２６０９を送信している。
【０３４１】
また、例えば、端末＃Ｃ（１０６）が図２６（Ｃ）に示すように時間帯ｔ７、ｔ１０，ｔ１３で「近距離通信用のシンボル」２６１２、２６１３，２６１４を送信していることを他の機器に通知するために、近距離用ＡＰ＃２（１０５）は、図２６（Ｄ）に示すように、時間帯ｔ９、ｔ１２で「送信電力の大きなシンボル」２６１５，２６１６を送信している。
【０３４２】
このため、「近距離通信用のシンボル」が占有する時間区間において、長距離通信を行う機器（ＡＰ（１０１）及び端末＃Ａ（１０２））は、「送信電力の大きなシンボル」を検出することにより、「長距離通信用のシンボル」を送信しない。ＡＰ１０１及び端末＃Ａ（１０２）は、例えば、図２６に示す近距離用ＡＰ＃１及び近距離用ＡＰ＃２がそれぞれ送信する「送信電力の大きなシンボル」を受信し、図２６に示す時間帯ｔ２〜ｔ１３の区間において長距離通信用のシンボルを送信しないと判断する。
【０３４３】
よって、近距離通信を行う機器では、「長距離通信用のシンボル」によるデータの受信品質劣化を回避することができる。更に、長距離通信を行う機器は、「近距離通信用のシンボル」の各々が送信される時間区間の間で送信される「送信電力の大きなシンボル」を受信することにより、「近距離通信用のシンボル」が送信されることを監視できる。よって、長距離通信を行う機器が電波状況を監視する時間Ｕ（例えば、図２３を参照）を長く設定する必要は無いので、時間リソースの利用効率の低減を回避できる。
【０３４４】
なお、複数の機器が「近距離通信用のシンボル」を送信する例は、図２６に限定されるものではなく、２つの近距離用ＡＰが同一時間に「近距離通信用のシンボル」を送信してもよく、２つの端末が同一時間に「近距離通信用のシンボル」を送信してもよく、近距離用ＡＰと端末とが同一時間に「近距離通信用のシンボル」を送信してもよい。また、同一時間に「近距離通信用のシンボル」を送信する機器は、３つ以上であってもよい。また、上述したように、各機器は「送信電力の大きなシンボル」を受信・復調し、判断を行うことにより、各機器が「近距離通信用のシンボル」を送信するか否かを判断する。
【０３４５】
また、図２６に示す時間帯ｔ７において、「近距離通信用のシンボル」２６０６，２６１２が存在しているが、例えば、「近距離通信用のシンボル」２６０６は時間帯ｔ７に渡って存在し、時間帯ｔ７の範囲内に、「近距離通信用のシンボル」２６０６の時間間隔より短い時間間隔の「近距離通信用のシンボル」２６１２が存在するようにしてもよい。つまり、「近距離通信用のシンボル」２６０６が占める時間リソースと、「近距離通信用のシンボル」２６１２が占める時間リソースとは同一でなくてもよい。換言すると、「近距離通信用のシンボル」２６０６が使用する時間間隔と、「近距離通信用のシンボル」２６１２が使用する時間間隔とは同一でなくてもよい。この点について、同一時間に複数の「近距離通信用のシンボル」が存在する場合には同様の構成となってもよい。
【０３４６】
＜動作例２＞
一例として、図２７を用いて、端末＃Ｂ（１０４）と近距離用ＡＰ＃１（１０３）とが通信を開始した後の各機器における通信状態について説明する。
【０３４７】
図２７において、図２７（Ａ）は、図１６に示す端末＃Ｂ（１０４）が送信する変調信号のフレーム構成の一例を示し、図２７（Ｂ）は、図１６に示す近距離用ＡＰ＃１（１０３）が送信する変調信号のフレーム構成の一例を示し、図２７（Ｃ）は、図１６に示す端末＃Ｃ（１０６）が送信する変調信号のフレーム構成の一例を示し、図２７（Ｄ）は、図１６に示す近距離用ＡＰ＃２（１０５）が送信する変調信号のフレーム構成の一例を示す。
【０３４８】
図２７（Ａ）〜（Ｄ）において、横軸は時間を示し、縦軸は送信電力を示す。
【０３４９】
また、図２７において、端末＃Ｂ（１０４）、近距離用ＡＰ＃１（１０３）、端末＃Ｃ（１０６）、及び、近距離用ＡＰ＃２（１０５）の各々は、同一周波数（周波数帯）を使用して変調信号を送信する。
【０３５０】
図２７（Ａ）に示すように、端末＃Ｂ（１０４）は、時間帯ｔ２で「近距離通信用のシンボル」２７０１を送信する。
【０３５１】
図２７（Ｂ）に示すように、近距離用ＡＰ＃１（１０３）は、時間帯ｔ３で「送信電力の大きなシンボル」２７０２を送信し、時間帯ｔ４で「近距離通信用のシンボル」２７０３を送信し、時間帯ｔ５で「送信電力の大きなシンボル」２７０４を送信し、時間帯ｔ６で「近距離通信用のシンボル」２７０５を送信し、時間帯ｔ７で「送信電力の大きなシンボル」２７０６を送信し、時間帯ｔ８で「近距離通信用のシンボル」２７０７を送信し、時間帯ｔ９で「送信電力の大きなシンボル」２７０８を送信し、時間帯ｔ１０で「近距離通信用のシンボル」２７０９を送信する。
【０３５２】
このように、近距離用ＡＰ＃１は、通信相手である端末＃Ｂが「送信電力の大きなシンボル」を送信していないことを認識すると、「送信電力の大きなシンボル」を送信する。つまり、近距離用ＡＰ＃１は、端末＃Ｂが送信した「近距離通信用のシンボル」を受信し、自機が「送信電力の大きなシンボル」及び「近距離通信用のシンボル」を送信すると判断する。
【０３５３】
図２７（Ｃ）に示すように、端末＃Ｃ（１０６）は、時間帯ｔ８で「近距離通信用のシンボル」２７１０を送信し、時間帯ｔ１０で「近距離通信用のシンボル」２７１１を送信し、時間帯ｔ１２で「近距離通信用のシンボル」２７１２を送信し、時間帯ｔ１４で「近距離通信用のシンボル」２７１３を送信する。
【０３５４】
図２７（Ｄ）に示すように、近距離用ＡＰ＃２（１０５）は、時間帯ｔ１１で「送信電力の大きなシンボル」２７１４を送信し、時間帯ｔ１３で「送信電力の大きなシンボル」２７１５を送信する。
【０３５５】
このように、近距離用ＡＰ＃２は、通信相手である端末＃Ｃが「送信電力の大きなシンボル」を送信していることを認識すると、「送信電力の大きなシンボル」を送信する。つまり、近距離用ＡＰ＃２は、端末＃Ｃが送信した「近距離通信用のシンボル」を受信し、自機が「送信電力の大きなシンボル」を送信すると判断する。
【０３５６】
すなわち、図２７に示す近距離用ＡＰ＃１及び近距離用ＡＰ＃２の各々は、近距離通信を継続すると判断した場合、「送信電力の大きなシンボル」を送信する。
【０３５７】
なお、図２７（Ａ）〜（Ｄ）における「送信電力の大きなシンボル」及び「近距離通信用のシンボル」については、例えば、図６〜図１０及び式（１）〜式（６）等を用いて説明したので、ここではその説明を省略する。
【０３５８】
以下、図２７において、特徴的な点について説明する。
【０３５９】
時間ｔ８において、近距離用ＡＰ＃１と端末＃Ｃとが「近距離通信用のシンボル」２７０７，２７１０をそれぞれ送信しており、時間ｔ１０において、近距離用ＡＰ＃１と端末＃Ｃとが「近距離通信用のシンボル」２７０９，２７１１をそれぞれ送信している。
【０３６０】
すなわち、図２７では、同一時間帯（ｔ８，ｔ１０）において、複数の機器が「近距離通信用のシンボル」を送信している。実施の形態１で説明したように、「近距離通信用のシンボル」が届く空間的な距離を考慮すると、端末＃Ｂ及び近距離用ＡＰ＃１が近距離通信を行っている時間帯において、端末＃Ｃが当該時間帯に「近距離通信用のシンボル」を送信しても、互いの変調信号が干渉する可能性は低い。
【０３６１】
これにより、実施の形態２（図１９を参照）と同様、同一周波数（周波数帯）及び同一時間帯において複数の機器が「近距離通信用シンボル」を同時に送信できるので、システムのデータ伝送効率が向上するという効果を得ることができる。
【０３６２】
次に、図２７における別の特徴的な点について説明する。
【０３６３】
図２７では、実施の形態２（図１９を参照）と同様、同一時間帯に複数の「送信電力の大きなシンボル」が存在しないように制御されている。
【０３６４】
例えば、図２７において、時間帯ｔ３，ｔ５，ｔ７，ｔ９では、近距離用ＡＰ＃１から送信される「送信電力の大きなシンボル」２７０２，２７０４，２７０６，２７０８のみが存在する。また、図２７において、時間帯ｔ１１，ｔ１３では、近距離用ＡＰ＃２から送信される「送信電力の大きなシンボル」２７１４，２７１５のみが存在する。
【０３６５】
すなわち、図２７に示す時間帯ｔ３，ｔ５，ｔ７，ｔ９，ｔ１１，ｔ１３では、近距離通信を行う複数の機器の何れか１つの機器のみが「送信電力の大きなシンボル」を送信している。こうすることで、複数の「送信電力の大きなシンボル」が互いに干渉することを回避し、「送信電力の大きなシンボル」がより多くの機器で受信できるようになるため、各機器において干渉となる変調信号を送信する可能性を低くすることができる。これにより、システムのデータの伝送効率が向上するという効果を得ることができる。
【０３６６】
より詳細には、「送信電力の大きなシンボル」を送信する目的は、実施の形態１で説明したように、他の機器に対して、各機器が「近距離通信」を行っているか、「長距離通信」を行っているかを通知することである。他の機器とは、例えば、図１６における、ＡＰ（１０１）、端末＃Ａ（１０２）、近距離用ＡＰ＃１（１０３）、端末＃Ｂ（１０４）、近距離用ＡＰ＃２（１０５）、端末＃Ｃ（１０６）、近距離用ＡＰ＃３（１０７）、端末＃Ｄ（１０８）である。
【０３６７】
すなわち、図２７に示す時間帯ｔ２〜ｔ１４の区間において「近距離通信」が行われていることが、ＡＰ（１０１）及び端末＃Ａ（１０２）に通知されればよい。
【０３６８】
よって、或る時間帯において「近距離通信」が行われていること通知するための「送信電力の大きなシンボル」は、図２７に示すように、「近距離通信」を行っている複数の機器のうち、少なくとも１台の機器から送信されればよい。
【０３６９】
例えば、図２７では、まず、「近距離通信」及び「長距離通信」の何れの通信も行われていない状態において、端末＃Ｂ（１０４）が近距離通信を行う。つまり、端末＃Ｂ（１０４）は、通信相手である近距離用ＡＰ＃１（１０３）に対して「近距離通信用のシンボル」２７０１を送信する。このようにして、時間帯ｔ２の時間区間は、「近距離通信用」の区間として確保される。ただし、端末＃Ｂ（１０４）は「送信電力の大きなシンボル」の送信に対応していない端末であるので、ＡＰ（１０１）及び端末＃Ａ（１０２）は、時間ｔ２において「送信電力の大きなシンボル」を検出しない。
【０３７０】
次いで、近距離用ＡＰ＃１（１０３）は、「近距離通信用のシンボル」２７０１を受信し、時間帯ｔ３で「送信電力の大きなシンボル」２７０２を送信し、時間帯ｔ４で「近距離通信用のシンボル」２７０３を送信し、時間帯ｔ５で「送信電力の大きなシンボル」２７０４を送信し、時間帯ｔ６で「近距離通信用のシンボル」２７０５を送信し、時間帯ｔ７で「送信電力の大きなシンボル」２７０６を送信し、時間帯ｔ８で「近距離通信用のシンボル」２７０７を送信し、時間帯ｔ９で「送信電力の大きなシンボル」２７０８を送信し、時間帯ｔ１０で「近距離通信用のシンボル」２７０９を送信する。
【０３７１】
この場合、ＡＰ（１０１）及び端末＃Ａ（１０２）は、時間帯ｔ３，ｔ５，ｔ７，ｔ９において「送信電力の大きなシンボル」２７０２，２７０４，２７０６，２７０８を検出することにより、長距離通信用シンボルの送信を停止する。このようにして、時間帯ｔ３〜ｔ１０の時間区間は、「近距離通信用」の区間として確保（予約）される。
【０３７２】
ここで、端末＃Ｃ（１０６）において時間ｔ８で「近距離通信用のシンボル」２７１０を送信する必要がある状態になったものとする。
【０３７３】
このとき、近距離用ＡＰ＃１（１０３）が時間帯ｔ３〜ｔ１０の区間において「送信電力の大きなシンボル」を送信しており、かつ、端末＃Ｃ（１０６）は「送信電力の大きなシンボル」の送信に対応していない端末であるので、端末＃Ｃ（１０６）は、時間帯ｔ７及び時間ｔ９では「送信電力の大きなシンボル」を送信しない。そして、時間帯ｔ３〜ｔ１０が「近距離通信」用のデータ送信区間（近距離用ＡＰ＃１（１０３）が「近距離通信」用データを送信する区間）として既に割り当てられているので、端末＃Ｃ（１０６）は、時間ｔ８及び時間ｔ１０において、「近距離通信用のシンボル」２７１０を送信する。
【０３７４】
つまり、何れかの機器（例えば「機器＃１」とする）が、「近距離通信用のシンボル」の送信のために、「送信電力の大きなシンボル」を送信することにより、時間区間＃Ａの予約を行ったとする。このとき、他の機器（例えば、「機器＃２」とする）は、機器＃１が「送信電力の大きなシンボル」を送信していることを認識することになる。なお、この際の「送信電力の大きなシンボル」の構成例については後述する。その後、時間区間＃Ａ内で、機器＃２が「近距離通信用のシンボル」を送信する必要がある場合、この機器＃２は、「送信電力の大きなシンボル」を送信せずに、「近距離通信用のシンボル」を送信することになる。
【０３７５】
また、図２７に示す時間帯ｔ１１〜ｔ１４では、近距離用ＡＰ＃１（１０３）及び端末＃Ｂ（１０４）は変調信号を送信しておらず、近距離用ＡＰ＃２（１０５）以外の機器が近距離通信用のシンボルを送信することがないものとする。この場合、端末＃Ｃ（１０６）は「送信電力の大きなシンボル」の送信に対応していない端末であるので、端末＃Ｃ（１０６）は、時間ｔ１１では「送信電力の大きなシンボル」を送信しない。そして、端末＃Ｃ（１０６）は、時間ｔ１２において、「近距離通信用のシンボル」２７１２を送信する。同様にして、端末＃Ｃ（１０６）は、時間ｔ１３では「送信電力の大きなシンボル」を送信せずに、時間ｔ１４において「近距離通信用のシンボル」２７１３を送信する。
【０３７６】
このとき、図２７では、近距離通信を行う端末から送信されない「送信電力の大きなシンボル」を通信相手である近距離用ＡＰが送信する。こうすることで、端末又は近距離用ＡＰが一連の「近距離通信用のシンボル」を続けて送信し、「近距離通信用のシンボル」が占有する時間が長くなっても、「近距離通信用のシンボル」と「近距離通信用のシンボル」との間に、近距離用ＡＰが送信した「送信電力の大きなシンボル」が存在することになる。
【０３７７】
例えば、端末＃Ｃ（１０６）が図２７（Ｃ）に示すように時間帯ｔ１２，ｔ１４で「近距離通信用のシンボル」２７１２，２７１３を送信している。そこで、近距離用ＡＰ＃２は、図２７（Ｄ）に示すように、時間ｔ１２，ｔ１４において「近距離通信用のシンボル」が送信されていることを他の機器に通知するために、時間ｔ１１，ｔ１３で「送信電力の大きなシンボル」２７１４，２７１５を送信している。
【０３７８】
このため、「近距離通信用のシンボル」が占有する時間区間において、長距離通信を行う機器（ＡＰ（１０１）及び端末＃Ａ（１０２））は、「送信電力の大きなシンボル」を検出することにより、「長距離通信用のシンボル」を送信しない。ＡＰ１０１及び端末＃Ａ（１０２）は、例えば、図２７に示す近距離用ＡＰ＃１及び近距離用ＡＰ＃２がそれぞれ送信する「送信電力の大きなシンボル」を受信し、図２７に示す時間帯ｔ２〜ｔ１３の区間において長距離通信用のシンボルを送信しないと判断する。
【０３７９】
よって、近距離通信を行う機器では、「長距離通信用のシンボル」によるデータの受信品質劣化を回避することができる。更に、長距離通信を行う機器は、「近距離通信用のシンボル」の各々が送信される時間区間の間で送信される「送信電力の大きなシンボル」を受信することにより、「近距離通信用のシンボル」が送信されることを監視できる。よって、長距離通信を行う機器が電波状況を監視する時間区間Ｕ（例えば、図２３を参照）を長く設定する必要は無いので、時間リソースの利用効率の低減を回避できる。
【０３８０】
なお、図２７に示す各機器の動作を実現するために、例えば、近距離用ＡＰ＃１（１０３）が時刻ｔ９で送信する「送信電力の大きなシンボル」２７０８が、近距離用ＡＰ＃１（１０３）が送信する一連の「近距離通信用のシンボル」（２７０３、２７０５、２７０７、２７０９）を送信するにあたって、送信しなければならない最後の「送信電力の大きなシンボル」であることを、他の機器に認識してもらう必要がある。
【０３８１】
そこで、例えば、「送信電力の大きなシンボル」２７０８は、「一連の「近距離通信用のシンボル」を送信するにあたって、送信しなければならない最後の「送信電力の大きなシンボル」」であることを示す情報を含んでもよい。
【０３８２】
また、別の方法として、「送信電力の大きなシンボル」は、送信するフレーム数を示す情報、及び、現在送信しているフレームの番号を示す情報を含んでもよい。例えば、図２７（Ｂ）に示す近距離用ＡＰ＃１が送信するシンボルについて一例として説明する。
【０３８３】
ここでは、図２７（Ｂ）において、「送信電力の大きなシンボル」２７０２及び「近距離通信用のシンボル」２７０３が送信される区間を第１フレームとし、「送信電力の大きなシンボル」２７０４及び「近距離通信用のシンボル」２７０５が送信される区間を第２フレームとし、「送信電力の大きなシンボル」２７０６及び「近距離通信用のシンボル」２７０７が送信される区間を第３フレームとし、「送信電力の大きなシンボル」２７０８及び「近距離通信用のシンボル」２７０９が送信される区間を第４フレームとする。
【０３８４】
この場合、「送信電力の大きなシンボル」２７０２は、送信するフレーム数が「４」であることを示す情報、及び、送信しているフレームの番号が「１」であることを示す情報を含む。また、「送信電力の大きなシンボル」２７０４は、送信するフレーム数が「４」であることを示す情報、及び、送信しているフレームの番号が「２」であることを示す情報を含む。同様に、「送信電力の大きなシンボル」２７０６は、送信するフレーム数が「４」であることを示す情報、及び、送信しているフレームの番号が「３」であることを示す情報を含み、「送信電力の大きなシンボル」２７０８は、送信するフレーム数が「４」であることを示す情報、及び、送信しているフレームの番号が「４」であることを示す情報を含む。
【０３８５】
他の機器は、このような送信するフレーム数及びフレーム番号を示す情報を含む「送信電力の大きなシンボル」を受信することになる。
【０３８６】
これにより、例えば、端末＃Ｃ（１０６）は、時間帯ｔ３又はｔ５において近距離用ＡＰ＃１（１０３）が送信した「送信電力の大きなシンボル」を受信し、当該「送信電力の大きなシンボル」に含まれる情報を参照することにより、端末＃Ｃ（１０６）は、時間帯ｔ３からｔ１０まで近距離通信用のシンボルが近距離用ＡＰ＃１（１０３）から送信されることを認識する。したがって、「送信電力の大きなシンボル」を送信しない端末である端末＃Ｃ（１０６）は、時間帯ｔ７で「送信電力の大きなシンボル」を送信せずに、時間帯ｔ８で「近距離通信用シンボル」２７１０を送信し、時間帯ｔ９で「送信電力の大きなシンボル」を送信せずに、時間帯ｔ１０で「近距離通信用シンボル」２７１１を送信する。
【０３８７】
なお、複数の機器が「近距離通信用のシンボル」を送信する例は、図２７に限定されるものではなく、２つの近距離用ＡＰが同一時間に「近距離通信用のシンボル」を送信してもよく、２つの端末が同一時間帯に「近距離通信用のシンボル」を送信してもよく、近距離用ＡＰと端末とが同一時間に「近距離通信用のシンボル」を送信してもよい。また、同一時間帯に「近距離通信用のシンボル」を送信する機器は、３つ以上であってもよい。また、上述したように、各機器は「送信電力の大きなシンボル」を受信・復調し、判断を行うことにより、各機器が「近距離通信用のシンボル」を送信するか否かを判断する。
【０３８８】
また、図２７に示す時間帯ｔ８において、「近距離通信用のシンボル」２７０７，２７１０が存在しているが、例えば、「近距離通信用のシンボル」２７０７は時間帯ｔ８に渡って存在し、時間帯ｔ８の範囲内に、「近距離通信用のシンボル」２７０７の時間間隔より短い時間間隔の「近距離通信用のシンボル」２７１０が存在するようにしてもよい。つまり、「近距離通信用のシンボル」２７０７が占める時間リソースと、「近距離通信用のシンボル」２７１０が占める時間リソースとは同一でなくてもよい。換言すると、「近距離通信用のシンボル」２７０７が使用する時間間隔と、「近距離通信用のシンボル」２７１０が使用する時間間隔とは同一でなくてもよい。この点について、同一時間に複数の「近距離通信用のシンボル」が存在する場合には同様の構成となってもよい。
【０３８９】
以上、本開示の各実施の形態について説明した。
【０３９０】
なお、当然であるが、本明細書において説明した実施の形態、その他の内容を複数組み合わせて、実施してもよい。
【０３９１】
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０３９２】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK,4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。
【０３９３】
また、Ｉ−Ｑ平面における複数の信号点の配置方法（２個、４個、８個、１６個、６４個、１２８個、２５６個、１０２４個等の信号点をもつ変調方式）は、本明細書で示した変調方式の信号点配置方法に限ったものではない。
【０３９４】
本明細書において、端末又は基地局（ＡＰ）の受信部が得たデータ・情報は、その後、映像や音に変換され、ディスプレイ（モニタ）に表示されたり、スピーカから音が出力されたりする。さらに、受信部が得たデータ・情報は、映像や音に関する信号処理が施され（信号処理を施さなくてもよい）、受信部が具備するＲＣＡ端子（映像端子、音用端子）、ＵＳＢ（登録商標）（Universal Serial Bus）、ＨＤＭＩ（登録商標）（High-Definition Multimedia Interface）、デジタル用端子等から出力されてもよい。
【０３９５】
本明細書において、送信部を具備しているのは、例えば、放送局、基地局、アクセスポイント、端末、携帯電話（ｍｏｂｉｌｅ  ｐｈｏｎｅ）等の通信・放送機器であることが考えられ、このとき、受信部を具備しているのは、テレビ、ラジオ、端末、パーソナルコンピュータ、携帯電話、アクセスポイント、基地局等の通信機器であることが考えられる。また、本開示における送信部、受信部は、通信機能を有している構成部であって、その構成部が、テレビ、ラジオ、パーソナルコンピュータ、携帯電話等のアプリケーションを実行するための装置に何らかのインターフェースを解して接続できるような形態であることも考えられる。
【０３９６】
また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０３９７】
パイロットシンボルは、例えば、送受信機において、ＰＳＫ変調を用いて変調した既知のシンボル（または、受信機が同期をとることによって、受信機は、送信機が送信したシンボルを知ることができてもよい。）であってもよく、受信機は、このシンボルを用いて、周波数同期、時間同期、（各変調信号の）チャネル推定（ＣＳＩ（Channel State Information）の推定）、信号の検出等を行うことになる。
【０３９８】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤでの設定情報等）を伝送するためのシンボルである。
【０３９９】
そして、本明細書において、図３、図４、図５、図１３、図１５などのフレーム構成において、ＡＧＣ用シンボル、近距離通信用のＡＧＣ用シンボル、長距離通信用のＡＧＣ用シンボルが、フレームに含まれない場合も考えられる。この場合、ＡＧＣ用シンボルの機能（受信装置が受信信号のゲイン調整を行う）を、例えば、同期用シンボル、制御シンボルなどのシンボルに持たせ、同期用シンボル、制御シンボルなどのシンボルにより、受信装置が受信信号のゲイン調整を行うとしてもよい。
【０４００】
また、本開示は各実施の形態に限定されず、種々変更して実施することが可能である。例えば、各実施の形態では、通信装置として行う場合について説明しているが、これに限られるものではなく、この通信方法をハードウェアとの連携においてソフトウェアとして行うことも可能である。
【０４０１】
また、例えば、上記通信方法を実行するプログラムを予めＲＯＭ（Read Only Memory）に格納しておき、そのプログラムをＣＰＵ（Central Processor Unit）によって動作させるようにしても良い。
【０４０２】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【０４０３】
そして、上記の各実施の形態などの各構成は、典型的には集積回路であるＬＳＩ（Large Scale Integration）として実現されてもよい。集積回路は、上記実施の形態の説明に用いた各機能ブロックを制御し、入力と出力を備えてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０４０４】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０４０５】
本開示の送信方法は、送信パラメータの異なる複数の通信方式による通信が、少なくとも一部において互いに重なり合う周波数帯で行われる通信システムにおける送信方法であって、第１の通信方式による通信が行われることを通信相手装置に認識させるための制御シンボルを含む第１のシンボル群、及び、第１の通信方式用のデータシンボルを含む第２のシンボル群を生成し、第１の送信電力で第１のシンボル群を送信し、第１の送信電力よりも小さい第２の送信電力で第２のシンボル群を送信する。
【０４０６】
本開示の送信方法において、第１のシンボル群には、受信装置において、上記第１の送信電力に応じて受信信号レベルを調整するための第１のゲイン制御（ＡＧＣ）用シンボルが含まれ、第２のシンボル群には、受信装置において、上記第２の送信電力に応じて受信信号レベルを調整するための第２のＡＧＣ用シンボルが含まれる。
【０４０７】
本開示の送信方法において、第１のシンボル群には、第１の通信方式、又は、第１の通信方式よりも長距離の通信が可能な第２の通信方式の何れを行うかを示す制御シンボルが含まれる。
【０４０８】
本開示の送信方法において、第１のシンボル群の各シンボルの同相−直交平面における信号点の平均電力と、第２のシンボル群の各シンボルの同相−直交平面における信号点の平均電力との間には式（６）の関係が成立する。ここで、Ｍは第１のシンボル群の同相−直交平面における信号点の数を表し、Ｎは第２のシンボル群の同相−直交平面における信号点の数を表し、Ｉａ，ｊは第１のシンボル群の各信号点の同相成分を表し、Ｑａ，ｊは第１のシンボル群の各信号点の直交成分を表し、Ｉｂ，ｊは第２のシンボル群の各信号点の同相成分を表し、Ｑｂ，ｊは第２のシンボル群の各信号点の直交成分を表す。
【０４０９】
本開示の送信方法において、第２のシンボル群が送信される隣接する時間区間の間に、所定数の第１のシンボル群を送信可能な複数の時間区間が設けられ、第１の通信方式に対応する複数の通信装置からそれぞれ送信される複数の第１のシンボル群は、複数の時間区間において互いに異なる時間区間で送信される。
【０４１０】
本開示の送信方法において、第２のシンボル群が送信される隣接する時間区間の間に、１つの第１のシンボル群を送信可能な１つの時間区間が設けられ、１つの時間区間において、第１のシンボル群は、第１の通信方式に対応する複数の通信装置のうち何れか１つのから送信される。
【０４１１】
本開示の送信方法において、第１のシンボル群は、第２のシンボル群を送信する第１の通信方式に対応する通信装置から送信される。
【０４１２】
本開示の送信方法において、第１の通信方式による通信は端末及び基地局により行われ、端末が第２のシンボル群を送信する場合、第１のシンボル群は、当該端末の通信相手である基地局から送信される。
【０４１３】
本開示の送信制御方法は、送信パラメータの異なる複数の通信方式による通信が、少なくとも一部において互いに重なり合う周波数帯で行われる通信システムにおける送信制御方法であって、通信相手装置から送信された変調信号を受信し、変調信号には、第１の通信方式による通信が行われることを認識させるための制御シンボルを含む第１のシンボル群、又は、第１の通信方式用のデータシンボルを含む第２のシンボル群が含まれ、第１のシンボル群は第１の送信電力で送信され、第２のシンボル群は第１の送信電力よりも小さい第２の送信電力で送信されており、第１のシンボル群を受信した場合には第１の送信電力をデータ送信に用いる第２の通信方式による通信を停止し、第１のシンボル群を受信していない場合には、第２の通信方式による通信を実行する。
【０４１４】
本開示の通信装置は、送信パラメータの異なる複数の通信方式による通信が、少なくとも一部において互いに重なり合う周波数帯で行われる通信システムにおける通信装置であって、第１の通信方式による通信が行われることを通信相手装置に認識させるための制御シンボルを含む第１のシンボル群、及び、第１の通信方式用のデータシンボルを含む第２のシンボル群を生成する生成部と、第１の送信電力で第１のシンボル群を送信し、第１の送信電力よりも小さい第２の送信電力で第２のシンボル群を送信する送信部と、を具備する。
【０４１５】
本開示の通信装置は、送信パラメータの異なる複数の通信方式による通信が、少なくとも一部において互いに重なり合う周波数帯で行われる通信システムにおける通信装置であって、通信相手装置から送信された変調信号を受信し、変調信号には、第１の通信方式による通信が行われることを通信相手装置に認識させるための制御シンボルを含む第１のシンボル群、又は、第１の通信方式用のデータシンボルを含む第２のシンボル群が含まれ、第１のシンボル群は第１の送信電力で送信され、第２のシンボル群は第１の送信電力よりも小さい第２の送信電力で送信されている、受信部と、受信された変調信号に第１のシンボル群が含まれる場合には、第１の送信電力をデータ送信に用いる第２の通信方式による通信を停止し、受信された変調信号に第１のシンボル群が含まれない場合には、第２の通信方式による通信を実行する制御部と、を具備する。
【産業上の利用可能性】
【０４１６】
本開示の一態様は、移動通信システムに有用である。
【符号の説明】
【０４１７】
２０１，１２０１，１４０１  受信アンテナ
２０３，１２０３，１４０３  受信部
２０６，１２０６，１４０６  制御部
２０９，１２０９，１４０９  送信部
２１１，１２１１，１４１１  送信アンテナ
【図１】
2016174848.tif 000010
【図２】
2016174848.tif 000011
【図３】
2016174848.tif 000012
【図４】
2016174848.tif 000013
【図５】
2016174848.tif 000014
【図６】
2016174848.tif 000015
【図７】
2016174848.tif 000016
【図８】
2016174848.tif 000017
【図９】
2016174848.tif 000018
【図１０】
2016174848.tif 000019
【図１１】
2016174848.tif 000020
【図１２】
2016174848.tif 000021
【図１３】
2016174848.tif 000022
【図１４】
2016174848.tif 000023
【図１５】
2016174848.tif 000024
【図１６】
2016174848.tif 000025
【図１７】
2016174848.tif 000026
【図１８】
2016174848.tif 000027
【図１９】
2016174848.tif 000028
【図２０】
2016174848.tif 000029
【図２１】
2016174848.tif 000030
【図２２】
2016174848.tif 000031
【図２３】
2016174848.tif 000032
【図２４】
2016174848.tif 000033
【図２５】
2016174848.tif 000034
【図２６】
2016174848.tif 000035
【図２７】
2016174848.tif 000036
【国際調査報告】
2016174848.tif 000037
2016174848.tif 000038